(57)【要約】【課題】インクジェット記録装置において、安価かつ簡単な構成によって、記録媒体とキャリッジに搭載された記録ヘッドとの間のギャップを高い信頼性をもって検出できるようにする。【解決手段】記録媒体にインクを吐出する記録ヘッドを保持するキャリッジを所定の主走査方向に沿って往復移動させるようにしたインクジェット記録装置において、キャリッジに保持される記録ヘッドと記録媒体とのギャップを変更するギャップ変更手段と、このギャップ変更手段の駆動及び前記キャリッジの往復移動を制御する制御手段とを設け、この制御手段によって、ギャップ変更手段の駆動とキャリッジの往復移動を行うことによってギャップ変更手段の動作状態を判断する。【選択図】　　　　図３９
2004090461.tif 000002
【特許請求の範囲】
【請求項１】
記録媒体にインクを吐出する記録ヘッドを保持するキャリッジを所定の主走査方向に沿って往復移動させるようにしたインクジェット記録装置において、
前記キャリッジに保持される記録ヘッドと記録媒体とのギャップを変更するギャップ変更手段と、
前記ギャップ変更手段の駆動及び前記キャリッジの往復移動を制御する制御手段とを有し、
前記制御手段は、ギャップ変更手段の駆動とキャリッジの往復移動を行うことによってギャップ変更手段の動作状態を判断することを特徴とするインクジェット記録装置。
【請求項２】
前記制御手段は、ギャップ変更手段の駆動とキャリッジの往復移動を行うことによってギャップ変更手段が正常であるか否かを判断すると共に、正常でないと判断された場合には報知手段によってエラー状態を報知することを特徴とする請求項１記載のインクジェット記録装置。
【請求項３】
前記ギャップ変更手段によって設定されたギャップに応じてキャリッジの主走査方向における走査可能範囲を変更する可動範囲規制機構を設けたことを特徴とする請求項１または２記載のインクジェット記録装置。
【請求項４】
前記制御手段は、前記キャリッジを駆動してその可動範囲を検出し、その可動範囲に基づきギャップ変更手段によって設定されているギャップを検出することを特徴とする請求項３記載のインクジェット記録装置。
【請求項５】
前記制御手段は、所定のギャップ設定指令に応じて前記ギャップ変更手段を駆動した後、前記キャリッジを駆動してその可動範囲を検出し、その可動範囲に基づきギャップ変更手段が正常であるか否かを判断することを特徴とする請求項３または４記載のインクジェット記録装置。
【請求項６】
前記可動範囲規制機構は、前記ギャップ変更手段によって設定されたギャップに応じて、主走査方向におけるキャリッジとの当接位置が変化する規制部材からなることを特徴とする請求項３ないし５いずれか記載のインクジェット記録装置。
【請求項７】
記録媒体にインクを吐出する記録ヘッドを保持するキャリッジを所定の主走査方向に沿って往復移動させることにより記録媒体への記録を行うようにしたインクジェット記録方法において、
前記キャリッジに保持される記録ヘッドと記録媒体とのギャップをギャップ変更手段によって変更するギャップ変更ステップと、
前記ギャップ変更手段の駆動及び前記キャリッジの往復移動を制御する制御ステップとを有し、
前記制御ステップでは、ギャップの変更とキャリッジの往復移動とを行うことによってギャップ変更状態を判断することを特徴とするインクジェット記録方法。
【請求項８】
前記制御ステップでは、ギャップの変更とキャリッジの往復移動を行うことによってギャップ変更手段が正常であるか否かを判断すると共に、正常でないと判断された場合には報知手段によってエラー状態を報知することを特徴とする請求項７記載のインクジェット記録方法。
【請求項９】
前記ギャップ変更ステップによって設定されたギャップに応じてキャリッジの主走査方向における可能範囲を変更する可動範囲規制機構を設けたことを特徴とする請求項７または８記載のインクジェット記録方法。
【請求項１０】
前記制御ステップでは、前記キャリッジを駆動してその可動範囲を検出し、その可動範囲に基づきギャップ変更ステップによって設定されているギャップを検出することを特徴とする請求項９記載のインクジェット記録方法。
【請求項１１】
前記制御ステップでは、所定のギャップ設定指令に応じて前記ギャップ変更手段を駆動した後、前記キャリッジを駆動してその可動範囲を検出し、その可動範囲に基づきギャップ変更手段が正常であるか否かを判断することを特徴とする請求項９または１０記載のインクジェット記録方法。
【請求項１２】
前記可動範囲規制機構は、前記ギャップ変更手段によって設定されたギャップに応じて、主走査方向におけるキャリッジとの当接位置が変化する規制部材からなることを特徴とする請求項９ないし１１いずれか記載のインクジェット記録方法。
【請求項１３】
記録媒体にインクを吐出する記録ヘッドを保持するキャリッジを所定の主走査方向に沿って往復移動させるようにしたインクジェット記録装置と、このインクジェット記録装置に対し所定の通信媒体を介してデータを供給するデータ処理装置とを有するインクジェット記録システムにおいて、
前記インクジェット記録装置は、
前記キャリッジに保持される記録ヘッドと記録媒体とのギャップを変更するギャップ変更手段と、
前記ギャップ変更手段の駆動及び前記キャリッジの往復移動を制御する制御手段とを有し、
前記制御手段は、ギャップ変更手段の駆動とキャリッジの往復移動を行うことによってギャップ変更手段の動作状態を判断することを特徴とするインクジェット記録システム。
【請求項１４】
前記制御手段は、前記データ処理装置から送信される指令に基づき前記ギャップ変更手段によって設定すべきギャップを判断することを特徴とする請求項１３記載のインクジェット記録システム。
【請求項１５】
前記制御手段は、ギャップ変更手段の駆動とキャリッジの往復移動を行うことによってギャップ変更手段が正常であるか否かを判断すると共に、正常でないと判断された場合には報知手段によってエラー状態を報知することを特徴とする請求項１３または１４記載のインクジェット記録システム。
【請求項１６】
前記制御手段は、前記ギャップ変更手段が正常であるか否かの判断を、前記インクジェット記録装置の電源ラインが電源に接続され、電源スイッチが投入された時だけ行うことを特徴とする請求項１５記載のインクジェット記録システム。
【請求項１７】
前記データ処理装置は、現在の時刻情報を前記インクジェット記録装置に送信する手段を有し、前記インクジェット記録装置は、前記データ処理装置から送信される時刻情報を受信する受信手段と、前記インクジェット記録装置の電源ラインと電源との接続が遮断されても、記憶することが可能な不揮発性メモリと、前回の記憶動作によって不揮発性メモリに格納されている時刻と現在受信した時刻とを比較し、前回の記憶動作から現在にいたる経過時間が一定時間以上に達したと判断した場合に前記ギャップ変更手段が正常であるか否かの判断を行うことを特徴とする請求項１３ないし１６いずれか記載のインクジェット記録システム。
【請求項１８】
前記インクジェット記録装置は、内部で独立した時計機構を有し、前記ギャップ変更手段が正常であるか否かの判断を行った場合に、その時の日時を前記不揮発性メモリに記憶し、前回の判断を行った時から現在に亘って所定の日時が経過したと判断された場合に、前記ギャップ変更手段を制御することを特徴とする請求項１３ないし１７いずれか記載のインクジェット記録システム。
【請求項１９】
前記ギャップ変更手段の駆動源は、電気的に決められたステップ数を駆動することによってギャップを段階的に変更するモータによって構成されることを特徴とする請求項１８記載のインクジェット記録システム。
【請求項２０】
前記インクジェット記録装置は、前記ギャップの変更値に対応するモータのステップ数を前記不揮発性メモリに記憶し、前記ギャップの変更において、駆動されるモータのステップ数が、ギャップの変更値に相当する所定のステップ数を越えたと判断された場合に、モータ駆動が異常状態にあると判断することを特徴とする請求項１９記載のインクジェット記録システム。
【請求項２１】
前記インクジェット記録装置が動作中に異常終了したと判断された場合、前記不揮発性メモリに異常フラグを書き込み、前記インクジェット記録装置に対し次に電源が投入された時に前記不揮発性メモリに書き込まれている異常フラグに基づき、前記モータが異常状態にあると判断することを特徴とする請求項１９記載のインクジェット記録システム。
【発明の詳細な説明】
【０００１】
【発明の属する技術分野】
本発明は、記録ヘッドを搭載したキャリッジを往復移動させることによって記録画像を形成するようにした記録技術に関し、特に、コンパクトディスクを搭載するトレイのような比較的厚みのある被記録材を使用することが可能なインクジェット記録装置、インクジェット記録方法、及びインクジェット記録システムに関するものである。
【０００２】
【従来の技術】
現在、インクジェット記録装置は、直方体あるいは帯状をなす用紙などへの記録だけでなく、様々な平面形状や厚さを有する被記録材への記録に適用されている。例えば、ＣＤ−Ｒ、ＤＶＤ、及びカード等のように小型で厚みのあるものであっても、その表面にインクジェット記録に適する記録材を設け、ここに種々の画像や文字を記録することが行われている（以下、これらの被記録材を、コンパクトディスク（ＣＤ）等と総称する）。
【０００３】
従来の汎用インクジェット記録装置において、前述のＣＤ等の被記録材に記録を行う場合には、一般的な用紙の搬送経路を使うと、その高い剛性により搬送性が良くない、傷の発生、搬送ローラ間距離の関係で搬送できない、等の問題が発生する。そこで、トレイを用い、一般的な用紙の搬送経路とは異なる経路を用いて対応している。
【０００４】
これらトレイなどを搬送するための搬送経路としては、トレイの厚みが一般的な用紙などに比べて厚いことから略水平に搬送する経路を持ち、またユーザーの操作性を良くするという観点から用紙等のセット方向とは逆の、記録装置の正面側からトレイなどをセットする構成が用いられることが多い。このような場合には搬送路にトレイ等が挿入されているかどうかを、センサーなどによって直接的に検出しないような構成を採ることが多い。これは逆方向から挿入されるトレイ等の検出を可能に構成すると装置の小型化やコストの低減が困難になるためである。
【０００５】
一方、ＣＤ等の記録材への記録を可能とするインクジェット記録装置においては、インクを吐出する記録ヘッドをキャリッジなどに搭載して、キャリッジと共に記録ヘッドを走査させながら記録を行うインクジェット記録方式も広く採用されている。特に、インクジェット記録装置は、カラー化や高解像度化の容易性、及び動作音の静粛性などのさまざまな利点を有しているため、広く普及している。
【０００６】
このようなインクジェット記録装置においては、記録ヘッドに設けられたインクの吐出口からＣＤなどの記録媒体までの距離（ギャップともいう）を最適な設定とすることが、高精彩な画像を形成する上で重要な要素となっている。特にＣＤ等の被記録材は、紙やフィルムなどの通常の記録媒体に比べて厚さが厚いため、通常の記録媒体を用いる場合よりも記録ヘッドを記録媒体の支持面より離間させて、ギャップの最適化を図る必要がある。
【０００７】
記録媒体と記録ヘッドもしくは記録ヘッドのインク吐出口までのギャップを最適化するためには、記録媒体の厚みに応じて例えば記録ヘッドを搭載するキャリッジを案内、支持するシャフトの位置を、シャフトに設けた駆動機構や偏心カムなどを動作させることによって変化させることが広く行われている。この場合、駆動機構や偏心カムの駆動源であるパルススモータあるいはＤＣモータの駆動軸にロータリーエンコーダ等を設け、ここで検出した駆動軸の回転量に基づき、モータの駆動を制御して記録ヘッドと記録媒体との間隔（ギャップ）を制御することが一般的に行われている。また記録ヘッドと記録媒体との間隔を検出する光学的あるいは磁気的センサーを設け、このセンサーの検出状態によってギャップを制御することも行われている。
【０００８】
【発明が解決しようとする課題】
しかしながら、上記従来技術においては次のような課題がある。
（１）ＣＤやトレイなどの記録媒体と記録ヘッドとの距離（ギャップ）を制御するために、その駆動機構の駆動量を検出するためのセンサーや上記ギャップ量を検出するためのセンサーなどを設けた場合、インクジェット記録装置を安価に構成することが困難になる。
（２）上記のようなセンサーなどを設けた場合には、そのセンサーを取り付けるためのスペースが必要になり、インクジェット記録装置の小型化やこれらセンサーを取り付けるための部材やセンサーとの電気的接続のためのリード線などが必要になり、記録装置本体１の内部構成が複雑になる。
（３）上記の課題を解決するため、専用のセンサーを設けない場合には、上記のようなギャップの制御機構が正常に動作しているかどうかを検出できないという課題がある。
【０００９】
本発明は、このような従来技術の課題を解決すべくなされたものであり、その目的とするところは、安価かつ簡単な構成によって、記録媒体とキャリッジに搭載された記録ヘッドと間のギャップを高い信頼性をもって検出できるインクジェット記録装置、インクジェット記録方法及びインクジェット記録システムを提供することにある。
【００１０】
【課題を解決するための手段】
上記従来技術の課題を解決するため、本発明は次のような構成を備える。
すなわち、記録媒体にインクを吐出する記録ヘッドを保持するキャリッジを所定の主走査方向に沿って往復移動させるようにしたインクジェット記録装置において、前記キャリッジに保持される記録ヘッドと記録媒体とのギャップを変更するギャップ変更手段と、前記ギャップ変更手段の駆動及び前記キャリッジの往復移動を制御する制御手段とを有し、前記制御手段は、ギャップ変更手段の駆動とキャリッジの往復移動を行うことによってギャップ変更手段の動作状態を判断することを特徴とする。
【００１１】
また、本発明は、記録媒体にインクを吐出する記録ヘッドを保持するキャリッジを所定の主走査方向に沿って往復移動させることにより記録媒体への記録を行うようにしたインクジェット記録方法において、前記キャリッジに保持される記録ヘッドと記録媒体とのギャップをギャップ変更手段によって変更するギャップ変更ステップと、前記ギャップ変更手段の駆動及び前記キャリッジの往復移動を制御する制御ステップとを有し、前記制御ステップでは、ギャップの変更とキャリッジの往復移動とを行うことによってギャップ変更状態を判断することを特徴とする。
【００１２】
また、本発明は、記録媒体にインクを吐出する記録ヘッドを保持するキャリッジを所定の主走査方向に沿って往復移動させるようにしたインクジェット記録装置と、このインクジェット記録装置に対し所定の通信媒体を介してデータを供給するデータ処理装置とを有するインクジェット記録システムにおいて、前記インクジェット記録装置は、前記キャリッジに保持される記録ヘッドと記録媒体とのギャップを変更するギャップ変更手段と、前記ギャップ変更手段の駆動及び前記キャリッジの往復移動を制御する制御手段とを有し、前記制御手段は、ギャップ変更手段の駆動とキャリッジの往復移動を行うことによってギャップ変更手段の動作状態を判断することを特徴とする。
【００１３】
【発明の実施の形態】
（第１の実施形態）
本発明の第１の実施形態を図１〜図２９と共に説明する。なお、図１及び図２は本発明の第１実施形態におけるインクジェット記録装置の斜視図、図３及び図４は本発明の第１の実施形態におけるインクジェット記録装置の機構部の斜視図、図５はインクジェット記録装置の機構部の断面図、図６はインクジェット記録装置の記録部であるキャリッジの説明図、図７〜図１７はＣＤ記録に関する図、図１８〜図２９は本実施形態に係るキャリッジや、キャリッジに装着される記録ヘッドと記録媒体とのギャップを変更するギャップ変更手段としてのキャリッジの昇降機構を示す説明図である。
【００１４】
本発明の記録装置１は、給紙部２、送紙部３、排紙部４、キャリッジ部５、クリーニング部６、記録ヘッド７、ＣＤ−Ｒ搬送部８、及び電気部９から構成されている。そこで、これらを項目に分けて概略を順次述べていく。
【００１５】
（Ａ）給紙部
給紙部２は、主として、図５に示したように多数枚のシート材Ｐが積載される圧板２１、シート材Ｐを記録ヘッドへ向けて給送する給紙ローラ２８、シート材Ｐを分離する分離ローラ２４１、及びシート材Ｐを積載位置に戻すための戻しレバー２２等がベース２０に取り付けられる構成となっている。
【００１６】
また、図２に示したように積載されたシート材Ｐを保持するための給紙トレイ２６が、ベース２０または外装に取り付けられている。この給紙トレイ２６は複数枚の板材によって伸縮可能に構成されており、使用時には各板材を引出し、シート材Ｐの指示面積を拡大して用いる。
給紙ローラ２８は断面円形の棒状材によって構成されており、この給紙ローラ２８には、分離ローラゴムが設けられており、これによってシート材を給紙するようなっている。給紙ローラ２８への駆動力は、給紙部２に設けられた専用給紙モータ２７３（図３参照）から不図示の駆動伝達ギア、遊星ギアを介して伝達される。
【００１７】
前記圧板２１には可動サイドガイド２３が移動可能に設けられ、シート材Ｐの幅方向（搬送方向と直交する方向）における積載位置を規制している。圧板２１はベース２０に結合された回転軸を中心に回転可能で、圧板バネ２１２により給紙ローラ２８に向けて付勢される。圧板２１における給紙ローラ２８との対向箇所には、積載されたシートの中の最終近く（最下位近く）のシート材Ｐの重送を防止するために人工皮革等の摩擦係数の大きい材質からなる不図示の分離シート２１３が設けられている。圧板２１は不図示の圧板カムによって、給紙ローラ２８に当接、離間できるように構成されている。
【００１８】
さらに、ベース２０には、シート材Ｐを一枚ずつ分離するための分離ローラ２４１を取り付けた分離ローラホルダー２４が分離ベース２０に設けられた回転軸を中心に回転可能に支持されており、不図示の分離ローラバネによって常に給紙ローラ２８に向かって付勢されている。この分離ローラ２４１には、不図示のクラッチバネが取り付けられており、分離ローラ２４１に対し回転方向において所定以上の負荷がかかると、分離ローラ２４１が支持されている部分が回転し、課題な不可がかかるのを防止し得る構成となっている。分離ローラ２４１は不図示の分離ローラリリースシャフトとコントロールカムによって、給紙ローラ２８に、当接、離間できるように構成されている。これらの圧板２１、戻しレバー２２、分離ローラ２４１の位置は不図示のＡＳＦセンサーによって検出されている。
【００１９】
また、シート材Ｐを積載位置に戻すための戻しレバー２２は、回動可能にベース２０に取り付けられ、解除方向に不図示の戻しレバーバネで付勢されている。シート材Ｐを戻す時は、戻しレバー２２は前記コントロールカムによって戻しレバーバネに抗して回転させられ、それによってシート材Ｐを積載位置へと戻すように構成されている。
【００２０】
以上の構成を用いて給紙する状態を以下に説明する。
【００２１】
通常の待機状態では、圧板２１は圧板カムによって給紙ローラ２８から離間する方向に付勢されて積載された用紙が給紙ローラから離間し（リリースされ）、分離ローラ２４１はコントロールカムによって給紙ローラ２８から離間する方向に付勢される（リリースされる）。この戻しレバー２２はその回転によってシート材Ｐを戻し、かつ積載時にシート材Ｐが移動経路の奥へと進入しないように、積載口を塞ぐような積載位置に回転移動するように設けられている。
【００２２】
この待機状態から、給紙が指示されると、モータ駆動によって、まず、分離ローラ２４１が給紙ローラ２８に当接する。そして、戻しレバー２２がリリースされ、圧板２１が給紙ローラ２８に向けて移動し、圧板２１に積載されたシート材Ｐが当接する。この状態で、シート材Ｐの給紙が開始される。このとき、複数マイのシート材Ｐが送り出される可能性があるが、これらのシート材Ｐはベース２０に設けられた不図示の前段分離部２０１で制限され、所定枚数のみが給紙ローラ２８と分離ローラ２４１のニップ部に送られる。送られたシート材Ｐはこのニップ部で分離され、最上位のシート材Ｐのみが搬送される。
【００２３】
シート材Ｐが、後述の搬送ローラ３６、ピンチローラ３７まで到達すると、圧板２１は圧板カム２１４によって、分離ローラ２８はコントロールカムによって、リリース位置に復帰される。戻しレバー２２はコントロールカムによって、積載位置に戻る。この時、給紙ローラ２８と分離ローラ２４１から構成されるニップ部に到達していたシート材Ｐは積載位置まで戻されるようになっている。
【００２４】
（Ｂ）送紙部
前述の給紙部によって給送された記録紙などのシート材Ｐは、図３及び図４に示す送紙部３によって搬送経路に沿って記録ヘッドへと搬送される。この送紙部３は、板金からなるシャーシ１１に取り付けられており、シート材Ｐを搬送する搬送ローラ３６を有している。搬送ローラ３６は金属軸の表面にセラミックの微小粒をコーティングした高摩擦構造を有するものとなっており、その両端部がシャーシ１１に固定された軸受け３８によって支持されている。この搬送ローラ３６と軸受け３８との間には、搬送ローラの回転時に所定の負荷を与える搬送ローラテンションバネ３８１が設けられており、これによって、安定した搬送が行えるようになっている。
【００２５】
搬送ローラ３６には、これに従動する複数のピンチローラ３７が搬送ローラ３６の周面に当接した状態で設けられている。ピンチローラ３７はシャーシ１１に回転軸によって回動可能に支持されたピンチローラホルダ３０に軸着されており、ピンチローラホルダを付勢する不図示のピンチローラバネの付勢力によって搬送ローラ３６の周面に圧接している。これにより、前記給紙部２によって搬送されて来たシート材Ｐは、搬送ローラ３６との間で挟持され、搬送ローラ３６の回転力によって搬送されるようになっている。ピンチローラホルダ３０は回転軸によってシャーシ１１の軸受けによって回動自在に支持されている。さらに、シート材Ｐが搬送されてくる送紙部３の入口にはシート材Ｐをガイドするペーパーガイドフラッパー３３（図５参照）及びプラテン３４が配設されている。
【００２６】
また、ピンチローラホルダ３０にはシートＰの存否によって移動するＰＥセンサレバー３２１が設けられており、このセンサレバー３２１（図５参照）の移動位置をＰＥセンサにて検出することにより記録紙の先端、後端の位置を検出し得るようになっている。なお、プラテン３４はシャーシ１１に取り付けられ、ペーパーガイドフラッパー３３は、その一端部が搬送ローラ３６に回転可能に支持されて嵌合しており、シャーシ１１に当接することで位置決めされる。
また、搬送ローラ３６のシート材搬送方向（Ｙ方向）における下流側には、画像情報に基づいて画像を形成する記録ヘッド７が設けられている。
【００２７】
上記構成において、図５に示したように前述の給紙部２から送紙部３に送られたシート材Ｐはピンチローラホルダ３０及びペーパーガイドフラッパー３３に案内されて、搬送ローラ３６とピンチローラ３７とのローラ対に送られる。この時、ＰＥセンサレバ−３２１まで搬送されて来たシート材Ｐの先端をＰＥセンサ３２が検出し、これによってシート材Ｐの記録位置を求めている。また、シート材Ｐは搬送モータ３５によりローラ対３６、３７が回転することでプラテン３４上に搬送される。プラテン３４上には、図３や図４に示したように搬送基準面となるリブが形成されており、記録ヘッド７とのギャップを管理すると共に、後述の排紙部と合わせて、シート材Ｐにインクが付着されシート材Ｐが伸びることなどによって発生する波打ち現象を制御することで、波打ちが大きくならないように構成されている。
【００２８】
搬送ローラ３６の駆動は、ＤＣモータからなる搬送モータ３５の回転力をタイミングベルト５６１で搬送ローラ３６の軸上に設けたプーリー５４２に伝達している。また、搬送ローラ３６の軸には、搬送ローラ３６による搬送量を検出するための１５０〜３００ｌｐｉなどの所定ピッチでマーキングを形成したコードホイール３６１が設けられており、そのマーキングを読み取るエンコーダーセンサ３６３がコードホイール３６２の隣接する位置のシャーシ１１に取り付けられている。
【００２９】
なお、記録ヘッドに接続されるインクタンク７１としては、各色のインクタンク部を個別に交換可能とするものが用いられている。また、記録ヘッド７としては、各ノズル内に設けたインク吐出駆動素子としての電気熱変換体（ヒータ）を備え、前記電気熱変換体を駆動し、各ノズル内のインクに熱を与えることによってインクに膜沸騰を発生させ、その膜沸騰による気泡の成長または収縮によって生じる圧力変化によってインク滴を吐出口から吐出させるようになっている。
【００３０】
（Ｃ）キャリッジ部
キャリッジ部５は、記録ヘッド７を搭載するキャリッジ５０を有している。このキャリッジ５０には、図３及び４に示すようにシート材Ｐの搬送方向（図中のＹ方向）に対して交差する方向に往復走査させるためのガイドシャフト５２との摺動部５０ｂ及びキャリッジ５０の上端部に設けられたガイドレール１１１との摺動部５０ａ（図６参照）が設けられており、ガイドレール１１１とガイドシャフト５２とによって、記録ヘッド７とシート材Ｐとの隙間が決定されるように支持されている。なお、このガイドシャフト５２及びガイドレール１１１はシャーシ１１に固定されている。また、ガイドレール１１１のキャリッジ５０との摺動部分には、ステンレス鋼等の薄板の摺動シート５３が張設され、これによって摺動音の低減を図っている。
【００３１】
また、キャリッジ５０はシャーシ１１に取り付けられたキャリッジモータ５４によりタイミングベルト５４１を介して駆動される。このタイミングベルト５４１は、アイドルプーリー５４２によって張架されている。タイミングベルト５４１はゴム等からなるダンパー５５を介してキャリッジ５０に結合されており、キャリッジモータ５４等の回転に伴い発生する振動を減衰することで、キャリッジ５０の安定的な走行性能を実現している。
【００３２】
そして、キャリッジ５０の位置を検出するための１５０〜３００ｌｐｉ等の所定ピッチでマーキングを形成したコードストリップ５６１がタイミングベルト５４１と平行に設けられている。さらに、それを読み取る不図示のエンコーダーセンサーがキャリッジ５０に搭載されているキャリッジ基板に設けられている。この不図示のキャリッジ基板には、記録ヘッド７と電気的な接続を行うためのコンタクトも設けられている。また、キャリッジ５０には、電気基板（ここではメイン基板）９１から記録ヘッド７に対してヘッド信号を伝えるためのフレキシブル基板５７を備えている。ここでキャリッジ５０は、図３、及び図４に示したシャーシ１１に突き当たった位置を基準とし、この後コードストリップ５６１を検出するエンコーダセンサから出力される位置信号によって、キャリッジ５０の位置が随時検出されるように構成されている。
【００３３】
また、記録ヘッド７は、キャリッジ５０に対して着脱可能に搭載されるようになっている。すなわち、キャリッジ５０には、記録ヘッド７を固定するためのタンクカバー５０２が設けられており、キャリッジ７は、キャリッジ５０とタンクカバー５０２とで構成された空間に着脱可能に搭載される。さらに、キャリッジ５０には、記録ヘッド７をキャリッジ５０の所定の位置に位置決めするための突き当て部、及び押圧、固定するための不図示の押圧手段等も設けられている。この不図示の押圧手段は、ヘッドセットレバー５１に搭載され、ヘッドセットレバー５１を回転支点中心に回してセットすることにより、記録ヘッド７をキャリッジ７内に固定するよう作用するものとなっている。
【００３４】
このようにして記録ヘッド７がキャリッジ５０に搭載された状態を図６に示した。記録ヘッド７はキャリッジ５０に搭載されると、インク吐出部７０１を搬送部に対向して設けられると共にインク吐出部７０１の近傍がタンクカバー５０２によって覆われる。インク吐出部７０１の近傍がタンクカバー５０２によって覆われることで、記録時にシート材などの記録媒体にカールが発生した場合に、キャリッジ５０がシート材を引っ掛ける等の現象が防止される構成となっている。
【００３５】
また、後述するガイドシャフト５２の両端には図７、図１９に示したように左側偏心カム５２１と右側偏心カム（図示せず）とが設けられており、キャリッジ昇降モータ５８の駆動により、ギア列５８１を介し、左側偏心カム５２１までモータ５８の駆動力が伝達されるようになっており、これによってガイドシャフト５２が昇降する。このガイドシャフト５２の昇降によって、キャリッジ５０が昇降し、厚みの異なるシート材Ｐに対しても最適なギャップを保つことができる。
【００３６】
さらに、キャリッジ５０には、後述するＣＤ記録用トレイ８３の位置検出用のマーク８２を検出用の反射型の光センサーからなるトレイ位置検出センサー５９が取り付けられている。発光素子より発光し、その反射光を受光することで、トレイ８３の位置を検出することができる。
【００３７】
上記構成において、シート材Ｐに画像を形成する時は、シート材Ｐの搬送方向Ｙに向けて、ローラ対３６、３７がシート材Ｐを間欠的に搬送すると共に、キャリッジモータ５４によりキャリッジ５０をシート材Ｐの搬送方向と交差する方向Ｘに移動させる。この間、記録ヘッド７には、メイン基板９１から記録信号が送られ、その記録信号に従って記録ヘッド７からシート材Ｐに向けてインク滴が吐出され、画像が形成されて行く。
【００３８】
（Ｄ）排紙部
排紙部４は、図３及び図４に示したように２本の排紙ローラ４０、４１と、この排紙ローラ４０、４１に所定圧で当接、従動して回転可能に構成された拍車４２、及び搬送ローラの駆動を排紙ローラ４０、４１伝達するための不図示のギア列等から構成されている。
【００３９】
排紙ローラ４０、４１はプラテン３４に取り付けられている。シート材Ｐの搬送方向上流側（以下、単に上流側と称す）の排紙ローラ４０は、金属軸に複数のゴム部を設けた構成を有している。そして、搬送ローラ４０からの駆動力がアイドラギアを介して伝達されることにより、排紙ローラ４０は回転駆動される。また、排紙ローラ４１は樹脂の軸にエラストマー等の弾性体を複数個取り付けた構成を有している。この排紙ローラ４１への駆動は、排紙ローラ４０からアイドラギアを介して伝達される。
【００４０】
拍車４２はステンレス鋼の略円形状の薄板の周囲に凸形状を複数個設け、その周面に樹脂部を一体的に固定したものであり、拍車ホルダー４３に回動自在に取り付けられている。コイルバネを棒状に設けた拍車バネ４４によって、拍車４２は拍車ホルダー４３へ取付けられるとともに、排紙ローラ４０、４１等への押圧を行っている。拍車４２は前記排紙ローラ４０、４１のゴム部、弾性体部に対応する位置に設けられ、主にシート材Ｐの搬送力を発生させる機能のものと、その搬送力を発生させる機能の部分の間、つまり、前記排紙ローラ４０、４１のゴム部４０１、及び弾性体部４１１が無い位置に設けられ、主にシート材Ｐが記録される時の浮き上がりを抑える役割のものがある。
【００４１】
前記排紙ローラ４０、４１の間には、シート材Ｐの両端を持ち上げ、前記排紙ローラ４０、４１の先でシート材Ｐを保持し、先に排出されたシート材Ｐ上の記録面を擦ることで画像にダメージを与えないように、不図示の紙端サポートが設けられている。この紙端サポートは、先端にコロが設けられた樹脂部材が紙端サポートバネによって付勢され、このコロを所定圧で、排紙されるシート材Ｐの非記録面に押し付けることで、シート材Ｐの両端を持ち上げ、こしを作ることで、保持できるように構成されている。
【００４２】
以上の構成によって、キャリッジ部５で画像形成されたシート材Ｐは、前記排紙ローラ４０、４１と拍車４２とのニップに挟まれ、搬送されて排紙トレイ４６に排出される。排紙トレイ４６は、複数枚（ここでは３枚）の板材によって分割形成され、後述の下ケース９９の下部に収納できる構成になっている。使用時は、各板材を各引出して使用する。排紙トレイ４６は先端に向けて高さが上昇し、かつその両端の高さが最も高くなるよう構成されており、排出されたシート材Ｐの積載性向上、及び記録面の摺擦による画像劣化を防止し得るものとなっている。
【００４３】
（Ｅ）クリ−ニング部
クリーニング部６は、図３及び図４に示したように記録ヘッド７のクリーニングを行うポンプ６０、記録ヘッド７の乾燥を抑えるためのキャップ６１、及び記録ヘッド７のノズル周辺のフェース面をクリーニングするブレード６２、及びポンプ６０を駆動する専用モータ（クリーニングモータ（図７参照））などから構成されている。
【００４４】
この専用のクリーニングモータ６９（図７参照）は、一方向への回転によってポンプが作動し、他方向の回転では、ブレード６２、及びキャップ６１の昇降動作が作用するように不図示のワンウエイクラッチが設けられている。
ポンプ６０は不図示の２本の可撓性部材からなるチューブをポンプコロ６８でしごくことによって負圧を発生させるように構成されており、弁などを介してキャップ６１に接続されている。キャップ６１は昇降可能となっており、その昇降動作によって記録ヘッド７に対して密着、開放可能になっている。また、記録ヘッドに密着させた状態でポンプ６０を作用させることにより、記録ヘッド７からは不要なインク等を吸引して排出するよう構成されている。また、キャップ６１には、吸引後、記録ヘッド７のフェース面に生じるインク残りを削減するために、キャップ吸収体７１１が設けられている。また、この実施形態では、キャップ吸収体７１１にインクが残り固着するという弊害が発生しないように、キャップ６１を開放した状態でポンプ６０を駆動させ、キャップ６１に残っているインクを吸引するようになっている。そして、前記ポンプ６０で吸引された廃インクは後述の下ケース９９に設けられた不図示の廃インク吸収体に吸収・保持されるように構成されている。
【００４５】
このようなキャップ６１の昇降動作、ブレード６３の動作等の一連の動作は、軸上に複数のカムを設けた不図示のメインカム６３で制御される。この制御動作は、メインカムに設けられている各カムとこれに当接する不図示の各アームが作用し、所定の動作を行うことにより行う。メインカム６３の位置は、フォトインタラプタ等の位置検出センサー６４で検出することができる。キャップ６１の下降時（開放時）に、ブレード６２がキャリッジ５走査方向に対し垂直に移動し、記録ヘッド７のフェース面をクリーニングする。ブレード６２は、記録ヘッド７のノズル近傍をクリーニングするものと、フェース面全体をクリーニングするものとが設けられている。そして、ブレード６２は、一番奥に移動した際に、ブレードクリーナー６６へ当接することで、ブレード６２自身へ付着したインクなどを、除去することができる。
【００４６】
（Ｆ）外装部
前述までの各ユニットはシャーシ１１に組み込まれ、インクジェット記録装置の機構部分を形成している。この機構部分の周囲を覆うよう図１及び図２に示すような外装部を設けている。外装部は、主に、下ケース９９、上ケース９８、アクセスカバー９７、不図示のコネクタカバー、フロントカバー９５から構成されている。
【００４７】
下ケース９９の下部には、排紙トレイレールとともに、複数の板材によって多段式に構成された排紙トレイ４６が収納可能に設けられている。また、フロントカバー９５は収納時などにシート材Ｐの排紙口を塞ぐことが可能な構成になっている。
【００４８】
上ケース９８には、アクセスカバー９７が取り付けられ、回動可能に構成されている。上ケース９８の上面の一部は不図示の開口部を有しており、この開口部に対応した位置にキャリッジ５０が移動することで、インクタンク７１、および記録ヘッド７をキャリッジ５０より着脱し交換可能に構成されている。さらに、アクセスカバーの開閉を検知するための、ドアスイッチレバー、ＬＥＤの光を伝達・表示するＬＥＤガイド９８２、基板のＳＷに作用するキースイッチ９８３ａ、９８３ｂ等が上ケース９８に設けられている。ここでアクセスカバー９７が回動されると先のドアスイッチレバーが作動しアクセスカバー９７が開けられたことを認識できる構成となっている。さらに、上ケース９８には、多段式の給紙トレイ２６が回動可能に取り付けられており、給紙部２が使われない時は、給紙トレイ２６は収納すれば、給紙部のカバーにもなるように構成されている。なお、図９には説明のためアクセスカバーを省略して示した。
【００４９】
また、上ケース９８と下ケース９９は、弾性を持った嵌合爪によって取り付けられている。またＰＣなどの電気的接続を行う不図示のコネクタ部は、不図示のコネクタカバー９６が覆っている。
【００５０】
次にＣＤ搬送部８とこれを用いた場合のＣＤ記録について図８〜図１７を用いて説明する。なお、図８はＣＤ搬送部８の斜視図、図９はＣＤ搬送部８の内部を示した説明斜視図、図１０は記録装置本体１にＣＤ搬送部８を装着操作を示す説明斜視図、図１１は下ケース９９に設けられたＣＤ搬送部８の装着部９９１及び装着検出部の構成を示す斜視図、図１２は記録装置本体１にＣＤ搬送部８を装着する際のＣＤ搬送部８及び装着部９９１を示す説明側面図であり、（ａ）はＣＤ搬送部８に設けられたアームの進出前の状態を、（ｂ）はアームの進出後の状態をそれぞれ示している。また、図１３はＣＤ搬送部８を記録装置本体１から取り外す際のＣＤ搬送部８及び装着部９９１を示す説明側面図、図１４はＣＤ搬送部８に挿入され、ＣＤなどの記録媒体を装着して搬送するためのトレイ８３の平面図、図１５は図１４に示すトレイの位置検出部分の凹部形状を示す説明断面図、図１６は記録装置本体１にＣＤ搬送部８を装着し、スライドカバー８１をスライドさせてトレイ８３をセットした状態を示す斜視図、図１７はトレイとキャリッジ５０に設けられたトレイ位置検出センサー５９との相対位置を示す説明平面図である。
【００５１】
各図において、ＣＤ搬送部８には、図１４に示したＣＤなどを搭載するトレイ８３が支持されている。また、ＣＤ搬送部８には、記録装置本体１の装着部９９１に向けて移動可能に案内されるトレイガイド８２と、このトレイガイド８２にトレイ８３を挿入するための開口部を形成するスライドカバー８１と、下ケース９９に設けられ下ケース９９とＣＤ搬送部８とを係合するためのフック８４と、記録装置本体１への装着時において記録装置本体１に設けられた後述の拍車ホルダー４３を上方にスライドさせるための左右一対のアーム８５等を備えている。
【００５２】
またＣＤ搬送部８内のトレイ挿入部８０１には、トレイ８３の挿入位置の基準となる基準壁８２３が形成されるとともに、その基準壁８２３と対向する壁面部には、不図示のコロバネによって前記壁面部より突出するよう付勢された側圧コロ８２４が設けられている。この側圧コロ８２４は、前記トレイ挿入部８０１に挿入されたトレイ８３を前記基準壁８２３に押付け、トレイの左右方向（トレイ挿入方向と直交する方向）における位置決めを行うようになっている。また、側圧コロ８２４は、トレイ８３が所定のセット位置へと挿入されるまでは、トレイ８３の外側面８３７ａに圧接して作用するが、トレイ８３が記録装置本体１に設けられた前述の搬送ローラ３６、ピンチローラ３７によって搬送し得る位置まで挿入されると、前記外側面８３７ａより内方に凹状に逃げた逃げ部８３７ｂが側圧コロ８２４に対向するため、側圧コロ８２４はトレイ８３に圧接せず、側方への押圧力は解除される。このため、トレイ搬送動作時において、側圧コロ８２４がトレイ８３に対して余計なバックテンションを加えることはなくなり、トレイ８３の搬送精度が低下するのを回避することができるようになっている。
【００５３】
また、ＣＤ搬送部８のスライドカバー８１のトレイ挿入部には左右一対の押圧コロ８１１が上下動可能に軸着されている。この押圧コロ８１１は、不図示のコロばねによって上方へと付勢されており、記録装置本体１のトレイ挿入部８０１に挿入されたＣＤ搬送部８を前記コロばねの付勢力によって弾性的に支持する。そして、ＣＤ搬送部８が記録装置本体１の装着部９９１に装着された時、ＣＤ搬送部８に支持されたトレイ８３を記録装置本体１の排紙ローラ４０，４１に押付け、トレイ８３の搬送力を発生させ、その搬送力によってトレイ８３をセット位置から搬送ローラ３６、ピンチローラ３７のニップ部まで搬送することができる。その後、両ローラ３６，３７まで搬送されたトレイ８３は、キャリッジ５の走査方向への移動に応じて間欠的に搬送され、これによってトレイ８３に保持されたＣＤへの画像の記録が行われる。
【００５４】
また、記録終了時に、操作者が取り出す所定位置までトレイ８３を搬送することも可能となっている。この場合も、前記位置検出マーク８３４と押圧コロ８１１とを異なる位置に配置した構成となっている。従って、前記位置検出マーク８３４が押圧コロ８１１と当接して、表面に傷を付けることを避けるようにしている。
【００５５】
図１０は、上記ＣＤ搬送部８を記録装置本体１に装着する状態を示す図である。図１０に示すように、装着時には、まず、ＣＤ搬送部８を記録装置本体１の装着部９９１に向けて保持し、図中の矢印Ｙ方向に沿って真っ直ぐに移動させて行き、下ケース９９にの装着部９９１の開口部に挿入する。この時、図１１に示した下ケース９９の両側に設けたガイドレール９９３に沿って、トレイガイド８２の両端の嵌合部８２２を挿入させることによって、ＣＤ搬送部８の上下左右の位置決めを容易に行うことができ、スムーズに挿入することができる。トレイガイド８２の両側にはフック８４が回動可能に取り付けられ、ばねによって一定の回転方向に付勢されている。ＣＤ搬送部８を所定位置までスライドさせるとこれ以上スライド不能となる位置に達する。このとき、フック８４がガイドレール９９３のストッパーに作用し、スライドしてきた方向にも戻らないようにロックがかかる。記録装置本体１のプラテン３４には、トレイガイド８２が装着された状態を検出するための機械的構成を有するトレイガイド検出センサー３４４が設けられており、このトレイガイド８２が記録装置本体１における装着部９９１の適正位置まで挿入されると、トレイガイド８２の一部がトレイガイド検出センサー３４４を押圧し、センサ３４４から所定の検出信号が出力されるため、これに基づき装着状態が適正であるか否かが判別される。
【００５６】
また、上記の状態において、スライドカバー８１を記録装置本体１方向へ移動させると、図８（ｂ）に示すようにスライドカバー８１と連動して、アーム８５が記録装置本体１方向へ突出する。一方、拍車４２が軸着された拍車ホルダー４３はプラテン３４に対して上下にスライド可能に支持され、所定圧のバネで下方へと付勢されている。従って、アーム８５が拍車ホルダー４３とプラテン３４の間に入り込むことで、拍車ホルダー４３を前記ばねの付勢力に抗して上方へと所定量だけ押し上げる。
【００５７】
この状態を図１２に示した。図１２（ａ）は、アーム８５が突出する前の状態を示しており、同図（ｂ）はアーム８５が突出し拍車ホルダー４３を上方にスライドさせた状態を示している。この際、アーム８５の先端に形成された傾斜部８５１によってアーム８５はスムーズにプラテン３４と拍車ホルダー４３との間に入り込むことができ、それによって、プラテン３４と拍車ホルダー４３との間にトレイ８３を通過させることが可能なスペースを形成することができる。また、アーム８５はプラテン３４と拍車ホルダー４３との間に進入した状態でその進入位置が決まるようになっており、トレイガイド８２へ収納された状態ではトレイガイド８２に対しガタを持つ構成となっている。
【００５８】
また、当初、スライドカバー８１を記録装置本体１方向へ移動させない状態では、図１０（ｂ）に示す開口部８２１は閉ざされているため、トレイ８３は挿入できないようになっている。そして、スライドカバー８１を記録装置本体１方向へ移動さると、スライドカバー８１は斜め上方向に移動する構成になっているため、トレイガイド８２との間に開口部８２１が現れる。この状態で、ＣＤを装填したトレイ８３をこの開口部８２１から挿入し、所定位置にセットすることができる。この際、スライドカバー８１のアームによって拍車ホルダー４３は上昇した状態になっているため、挿入されたトレイ８３と拍車４２とが干渉してトレイ８３先端のトレイシート８３１や拍車４２が破損する虞はない。
【００５９】
次にＣＤ搬送部８を記録装置本体１から外す場合について説明する。図１３に示すように、トレイガイド８２のスライドカバー８１を本体から引出す方向、すなわち図１３のＹ方向と逆の方向にスライドさせた場合、スライドカバー８１に連動して、アーム８５が拍車ホルダー４３から退避し、拍車ホルダー４３、拍車４２が所定の初期位置まで下降する。この時、記録装置本体１にトレイ８３が装着されたままの状態であると、スライドカバー８１とトレイガイド８２との開口部８２１にトレイ８３が挟まり、スライドカバー８１をそれ以上引けなくなるようになっている。このため、ＣＤが記録装置本体１に残ったまま、拍車４２が下がりＣＤにダメージを与えるのを防止することができる。また、ＣＤ搬送部８からトレイ８３を取り出した状態であると、スライドカバー８１を初期の後退位置まで引くと、その途中でスライドカバー８１がフック８４に作用し、フック８４が下ケース９９のガイドレール９９３から外れるため、ＣＤ搬送部８の記録装置本体１への装着が解除される。
【００６０】
次にトレイ８３の構成について説明する。トレイ８３は、図１４に示すように板厚２〜３ｍｍ程度の樹脂板に、ＣＤ取り付け部８３２、トレイの出し入れ操作時にユーザが把持する操作部８３３、位置検出マーク８３４（８３４ａ，８３４ｂ，８３４ｃ）、ＣＤ取り出し用孔８３５、挿入位置合わせマーク８３６、側圧コロ逃げ部８３７ｂ、メディア有無検知マーク８３８が設けられている。さらに、トレイ８３の先端には、搬送ローラ３６、ピンチローラ３７へのトレイ８３の噛み込みを確実にするための、トレイシート８３１がトレイ８３よりも搬送方向に突出して取り付けられている。
【００６１】
トレイシート８３１は、トレイ８３の先端部に形成された斜面部８３０のＣＤを取り付ける面とは逆の平面部８３ａに両面テープなどにより固着されている。トレイシート８３１の厚みはトレイ８３の先端部の厚さよりも薄いシート状のフィルムで構成されており、厚さ０．１〜０．３ｍｍ程度のＰＥＴ等を基材とし、その基材に所定の摩擦係数と所定の硬度が得られるようその一方の表面に所定のコーティング材をコーティングするなどして構成されている。特に本実施形態の場合、ゴム材やウレタン材などのように一般的に相手材と密着しやすいコーティング材料ではなく、所定の表面粗さとゴム材やウレタン材よりも高い硬度を有したコーティング材料を使用している。これは、上記のゴム材やウレタン材などを使用した場合には、トレイ８３の搬送経路に設けられた樹脂製のペーパーガイドフラッパー３３等の部材と当接した際、このコーティング材と密着し搬送負荷が著しく増大することを防止するためである。
【００６２】
またこのトレイシート８３１上に構成されているコーティング面は、搬送ローラ３６と当接する面に設けられており、搬送ローラ３６との当接状態においてトレイ８３を搬送するに十分な搬送力が発生するようになっている。トレイシート８３１は図１４に示したように略台形の形状に構成され、短辺側がトレイ８３より外方へと突出するようにトレイ８３の先端部に固着されている。本実施形態の場合、この突出量Ａは搬送方向側約３ｍｍである。この突出量Ａは、トレイシート８３１の先端部が搬送ローラ３６とピンチローラ３７により構成されるニップ部に到達した場合に、トレイ８３の先端部が前記ニップ部に届かない長さとなっている。すなわち、トレイシート８３１の先端部が前記ニップ部にかみこむ際にトレイ８３の先端部によって抵抗を受けないように構成されている。
一方、トレイ８３自身も先端の斜面部８３０を有している。まず、トレイシート８３１が搬送ローラ３６とピンチローラ３７とに噛み込まれることで、搬送力が生じ、トレイ８３の先端のテーパー部８３０をピンチローラ３７が持ち上げることで、比較的大きな厚さを有するトレイ８３を搬送ローラ３６とピンチローラ３７とによって挟持でき、トレイ８３の搬送が可能になる。
【００６３】
トレイ８３に設けられた前記位置検出マーク８３４は、トレイ８３のＣＤ取り付け部分の先端側に設けられた２個の位置検出マーク８３４ａ，８３４ｂと、反対側に設けられた１個の位置検出マーク８３４ｃとからなる。各位置検出マーク８３４は本実施形態の場合、５ｍｍの正方形をなす反射性能の高い部材によって構成されている。ここでは、ホットスタンプを用いて形成している。この位置検出マーク８３４の周囲には凹部８３９が設けられており、これによって樹脂部品の位置検出マーク８３４による光の反射範囲を明確に規定し得るようになっている。すなわち、凹部８３９の底面は、図１５に示すように高い表面性を有すると共に、位置検出マーク８３４ｃの表面に対して所定角度の傾斜を持って形成されているので、キャリッジ５０に設けたトレイ位置検出センサー５９の発光が位置検出マーク８３４以外で反射されても受光部に戻らないため、誤検知するのを防ぐことができる構成となっている。
【００６４】
以上のように、トレイ８３上の位置検出マーク８３４の光反射率が高いため、高性能のセンサーを搭載する必要がなく、補正などの処理を少なくできるので、コストアップや記録時間の増大を避けることができる。また、ＣＤの記録領域のエッジを直接読み取る方式に比べて、色付きのＣＤ、一度記録したものへの再記録を行う場合にも正確に検出を行うことができる。
【００６５】
また、ＣＤをトレイ８３に取り付ける場合には、ＣＤ中央の穴をＣＤ取り付け部８３２に合わせて挿入することにより取り付ける。また、ＣＤの取り外しに際しては、２箇所のＣＤ取り出し用孔８３５を利用し、ユーザーがＣＤの外周エッジを持って取り外せるように構成されている。また、ＣＤ取り付け部８３２には、複数のモールド爪が設けられており、これが、ＣＤ等を取り付けるときのＣＤ等の位置決めとがたつきの除去を行うようになっている。また、ＣＤ取り付け部はそれ以外のトレイ８３の面より一段低くなっており、その低い面にメディア有無検知マーク８３８が設けられている。これは、所定幅のホットスタンプの中に所定幅の穴を設け、この穴幅が検知された場合に、メディア無しと判断するように構成されている。
【００６６】
なお、前記各位置検出マーク８３４はピンチローラ３７の間に設けられており、各位置検出マーク８３４がピンチローラ３７に当接して、表面に傷が付くのを避けるようになっている。
【００６７】
一方、所定位置に搬送されたトレイ８３を引出すことで、トレイガイド８２からトレイ８３を取り出すことができる。さらに、２箇所のＣＤ取り出し用孔８３５を利用し、操作者はＣＤ等の外周エッジを持って外すことができる。
【００６８】
次に、上記構成を有するインクジェット記録装置を用いて、ＣＤの表面に設けられた記録領域への記録動作を説明する。
【００６９】
まず、ＣＤ搬送部８を本体に向けて直線的にスライドさせて下ケース９９に装着する。この時、トレイガイド８２が記録装置本体１に装着されれば、トレイガイド検出センサー３４４によって検出される。
【００７０】
ここで、スライドカバー８１を記録装置本体１方向へ移動させると、スライドカバー８１に連動して、アーム８５が記録装置本体１方向へ突出する。そして、アーム８５が拍車ホルダー４３とプラテン３４との間に入り込むことで、拍車ホルダー４３を上方へと所定量だけ持ち上げる。
【００７１】
このように、スライドカバー８１を記録装置本体１方向へ移動させると、スライドカバー８１は斜め上方向に移動する構成になっているのでトレイガイド８２との間に開口部８２１が現れる。そして、ＣＤをトレイ８３のＣＤ取り付け部８３２に装着する。操作者は操作部８３３を持って、ＣＤを装填したトレイ８３を上記の開口部８２１から挿入し、位置検出マーク８３４がトレイガイド８２のトレイセットマーク８２６と一致するところまでトレイ８３を挿入する。このようにしてセットした状態を図１６に示す。
【００７２】
この状態で、ホストから記録信号を送ると、記録動作を開始する。まず搬送ローラ３６及び排紙ローラ４０，４１が逆転する。不図示のコロバネ８１２を介して押圧コロ８１１によってトレイ８３は所定圧で排紙ローラ４０，４１に押し付けられるため、各排紙ローラの回転力によってトレイ８３は逆方向、すなわち記録装置内部へと搬送される。この後、トレイシート８３が搬送ローラ３６、ピンチローラ３７に噛み込まれることによって所定の搬送力が生まれ、トレイ８３の先端の斜面部８３０にピンチローラ３７が乗り上げ、トレイ８３が搬送ローラ３６、ピンチローラ３７に挟持される。
【００７３】
次に、キャリッジ５０がトレイ８３を検出するために、ホームポジションから記録領域へと移動する。キャリッジ５０、ガイドシャフト５２の昇降動作については後述するが、この時に、図７（ｂ）に示すように、キャリッジ昇降モータ５８が駆動し、ガイドシャフト５２を上昇させて、トレイ８３に対し最適なギャップを形成することができる。
【００７４】
次に、図１７（ａ），（ｂ）に示すように、キャリッジ５０はトレイ位置検出センサー５９をトレイ８３の位置検出マーク８３４ａの位置に合わせて停止させる。そして、トレイ８３を搬送し、位置検出マーク８３４ａ上端のエッジ位置を検出し（図１７（ａ）参照）、さらに搬送動作を行い、マーク８３４ａの下端エッジを検出する（図１７（ｂ）参照）。次に、トレイ位置検出センサー５９が位置検出マーク８３４ａの略中央に来るようにトレイ８３を戻し、キャリッジ５０を左右に移動させ、位置検出マーク８３４ａ右端のエッジ位置、左端のエッジ位置を検出する（図１４（ｃ）参照）。こうして位置検出マーク８３４ａの中心位置８３４ａｃを算出することができ、その中心位置８３４ａｃに基づきトレイ８３に搭載したＣＤの記録位置を求めることができる。
【００７５】
以上のように、この実施形態ではトレイ自身の位置検出を行うので、検出を行わずに機械的な精度のみに依存して記録を行う場合に比べ、部品精度のバラツキ、トレイの状態などに起因する記録位置のずれを低減することができる。
【００７６】
位置検出マーク８３４ａの位置を検出した後、キャリッジ５０は図１７（ｄ）に示すように、位置検出マーク８３４ｂの検出位置へと移動する。ここで位置検出マーク８３４ｂの両端のエッジを検出することで、先程検出した位置検出マーク８３４ａの検出位置が間違いないことを確認する。これは、トレイ８３が正規のセット位置よりも奥に挿入された場合に、図１７（ｅ）に示すように、位置検出マーク８３４ｃ位置を検出しても位置検出マーク８３４ｂを検出するために移動する動作によって、位置検出マーク８３４ｃが位置検出マーク８３４ａでは無いことを検知することができる構成になっている。
【００７７】
ここで位置検出マークが８３４ａでなく位置検出マーク８３４ｃであると判断された場合には、トレイ位置検出センサー５９が位置検出マーク８３４ａに対向する位置までトレイ８３を搬送し、再度位置検出マーク８３４ａの検出を実行する。このとき位置検出マーク８３４ａが検出されない場合にはエラー状態と判断しトレイ８３を排出する処理を行う。
【００７８】
トレイ８３位置が検出された後に、図１７（ｆ）のように、トレイ８３搬送方向に、キャリッジ５０のトレイ位置検出センサー５９位置とトレイ８３のメディア有無検出マーク８３８位置が一致するようにトレイ８３を搬送する。この時に、メディア有無検出マーク８３８の検出穴のエッジを検出し、所定穴幅と一致すると、ＣＤが搭載されていないと判断し、記録作業を中断し、トレイ８３を所定位置まで排出し、エラーを表示する。ここで、上記メディア有無検出マーク８３８が検出できなければ、ＣＤが搭載されていると判断し、記録作業を継続する。
【００７９】
以上の一連の初期動作が終了したところで、記録装置本体１に設定されたＣＤ全体を記録できる所定位置までトレイ８３を搬送する。その後、ホストからの送られる画像データーに応じて、記録動作を開始する。画像の記録動作は、複数走査で画像を形成するいわゆるマルチパス記録を行うことで、搬送精度、ヘッド７の着弾精度等に起因するバンドムラ等の発生を軽減することができる。
【００８０】
記録動作が終了した後、トレイ８３は初期位置、すなわち、前述の記録動作前にユーザがトレイガイド８２にトレイ８３をセットした位置まで搬送される。この状態で、ユーザーは記録動作が行われたＣＤが搭載されたトレイ８３を取り出すことができる。さらに、スライドカバー８１を手前に引くことで、アーム８５が拍車ホルダー４３から解除され、フック８４が下ケース９９から解除される。これにより、ＣＤ搬送部８は本体記録装置から解除され、取り外すことが可能になる。
【００８１】
（キャリッジ昇降機構）
次に本例にかかるキャリッジ５０の昇降機構（ギャップ変更機構）について図１８〜図３２を参照しつつ説明する。ここで、図１８（ａ）及び図１９（ａ）はガイドシャフト５２を昇降させるためのガイドシャフト昇降機構の左側の部分を示す部分斜視図、図１８（ｂ）及び図１９（ｂ）はガイドシャフト昇降機構の右側の部分を示す部分斜視図、図２０はキャリッジまたはキャリッジに搭載される記録ヘッドと用紙等の記録媒体とのギャップを調整するギャップ調整機構の一部を示す側面図、図２１ないし図２４は通常の厚さの記録媒体に対するキャリッジの支持状態を示す図、図２５ないし図２８は厚紙を記録媒体として用いる場合のキャリッジの支持状態を示す図、図２９ないし図３２はＣＤ等を記録媒体として用いる場合のキャリッジの支持状態を示す図である。
【００８２】
まず、図１８〜図２０に基づきキャリッジ５０及びガイドシャフト５２の昇降機構について説明する。なお、図１８〜図２０ではキャリッジ５０やガイドシャフト５２は約０．３ｍｍ以下程度の通常の記録用紙等の記録媒体に記録を行う場合（通常記録時）のキャリッジ５０の支持状態を示している。
【００８３】
キャリッジ５０のガイドシャフト５２は、ギャップ調整板Ｌ（紙間調整板Ｌとも言う）５０３とギャップ調整板Ｒ（紙間調整板Ｒとも言う）５０４とによって位置決めされている。また、ガイドシャフト５２の用紙搬送方向における位置は、ガイドシャフトばね５０６の付勢力により、図２０に示したシャーシ１１の鉛直面５０５にガイドシャフト５２を当接させることによって位置決めされている。そのため、ガイドシャフト５２の高さが変化しても、ガイドシャフト５２の用紙搬送方向における位置は変化せず、常にシャーシ１１の鉛直面５０５により一定の位置に位置決めされるように構成されている。
【００８４】
なお、ギャップ調整板Ｌ５０３のガイドシャフト支持部５０３ａ及びギャップ調整板Ｒ５０４のガイドシャフト支持部５０４ａは、いずれも傾斜面となっており、ギャップ調整板Ｌ５０３及びＲ５０４をそれらの傾斜面に沿って前後にスライドさせることにより、通常記録時のガイドシャフト５２の高さを微調整できる構成となっている。さらに、ギャップ調整板Ｌ５０３及びギャップ調整板Ｒ５０４には、ガイドシャフト支持部５０３ａ及び５０４ａに平行する偏心カム突き当て面５０３ｂ、５０４ｂが一体的に設けられている。
【００８５】
一方、ガイドシャフト５２に左端には、図１９（ｂ）に示したように、シャーシ１１の左側面１１ｂの内側に偏心カムＬ５２２が備えられ、ガイドシャフト５２の右端には偏心カムＲ５２１が設けられている。偏心カムＬ５２２、偏心カムＲ５２１はガイドシャフト５２に対しその円周方向の回転について一体的に回転するように固定されている。さらに偏心カムＲ５２１はカム面とギア部とを有し、ギア部に対して図７に示すようにキャリッジ昇降モータ５８から駆動ギア列５８１を介して駆動（回動）が伝達されるようになっており、キャリッジ昇降モータ５８により偏心カムＲ５２１の回動位置を制御することにより、ガイドシャフト５２の高さ位置すなわちギャップ位置を調整できるように構成されている。
【００８６】
また、ガイドシャフト５２の左端部のシャーシ１１の内側の位置には偏心カムＬ５２２が設けられており、さらにこの偏心カムＬ５２２にはキャリッジ５０に突き当てて偏心カムＬ５２２の回転を規制するための回転規制部Ｌ５２２ａが設けられている。
なお、図１８〜図２０に示した通常記録時においては、ガイドシャフト５２は、偏心カムＲ５２１、Ｌ５２２のカム面によって位置決めされておらず、ギャップ調整板Ｌ５０３、ギャップ調整板Ｒ５０４によって位置決めされている。
【００８７】
次に、図２１〜図３２を参照してキャリッジ昇降機構を駆動してキャリッジ５０のギャップを調整する場合について説明する。
図２１（ａ）は偏心カムＬ５２２の通常記録時の状態を示す側面図、図２１（ｂ）は偏心カムＲ５２１の通常記録時の状態を示す側面図であり、図２２ないし図２４は、偏心カムＬ５２２と偏心カムＲ５２１とが通常記録時の状態である場合にキャリッジ５０が図３及び図４において最も左側に移動した場合の偏心カムＬ５２２の位置関係などを示す図、図２５（ａ）は偏心カムＬ５２２の約１ｍｍ程度の厚紙を記録する時の状態を示す側面図、図２５（ｂ）は偏心カムＲ５２１の厚紙記録時の状態を示す側面図であり、図２６ないし図２８は偏心カムＬ５２２と偏心カムＲ５２１とが厚紙記録時の状態である場合にキャリッジ５０が図３及び図４において最も左側に移動した場合の偏心カムＬ５２２の位置関係を示す図、図２９（ａ）は偏心カムＬ５２２のＣＤ記録時の状態を示す側面図、図２９（ｂ）は偏心カムＲ５２１のＣＤ記録の状態を示す側面図、図３０ないし図３２は、偏心カムＬ５２２と偏心カムＲ５２１とがＣＤ記録時の状態である場合にキャリッジ５０が図３及び図４において最も左側に移動した場合の偏心カムＬ５２２の位置関係を説明した図である。
【００８８】
まず通常記録時について説明する。
図２１に示すように、通常記録時の状態では、偏心カムＬ５２２及び偏心カムＲ５２１のカム面は、いずれもギャップ調整部材Ｌ５０３及びギャップ調整部材Ｒ５０４の偏心カム突き当て部５０３ｂ、５０４ｂに対して非接触状態にある。この際、ガイドシャフト５２は両端部が通常記録時状態でのギャップ位置としてガイドシャフト支持部５０３ａ及び５０４ａで支持されており、これによって高さ方向における位置決めがなされている。
【００８９】
また、偏心カムＲ５２１の回転位置は、回転規制部５２１ａをシャーシ１１のシャーシ突き当て部５２５に突き当てることで位置決めされている。またこの状態でキャリッジ５０の左側（図３及び図４における左側）への移動可能な位置Ａは、シャーシ１１のガイドレール１１１に設けられたガイドレールの突き当て部１１ｃ（図２４参照）にキャリッジ５０の上部に設けられたガイドレールとの摺動部５０ａが突き当たる位置であり、この位置Ａは、図２２に示したように偏心カムＬ５２２にキャリッジ５０が突き当たらない位置となっている。
【００９０】
次に厚紙記録動作は、図２５に示すように、図２１に示した通常記録時の状態からリフトモータ５８を駆動し偏心カムＲ５２１を図中矢印方向（反時計方向）に駆動することによって行う。この状態を設定するため、偏心カムＲ５２１の回転に先立ってキャリッジ５０を図２６及び図２８に示す位置Ａ、すなわちキャリッジ５０のガイドレール１１１との摺動部５０ａがガイドレール１１１の突き当て部１１ｃに突き当たる位置まで移動させる。この位置Ａは、ガイドシャフト５２の左端に設けられた偏心カムＬ５２２を図２５の矢印方向に回転させた場合に、偏心カムＬ５２２に備えられた回転規制部Ｌ５２２ａが図２５（ａ）に示したような鉛直に位置した状態でキャリッジ５０に突き当たる構成となっている。従って、偏心カムＬ５２２の図２９に示す矢印方向の回転が規制される。その結果、ガイドシャフト５２及び、偏心カムＲ５２１の回転も規制される。そしてこの場合には、偏心カムＬ５２２及び偏心カムＲ５２２のカム面が、それぞれギャップ調整部材Ｌ５０３、ギャップ調整部材Ｌ５０４に設けられたカム突き当て部５０３ｂ、５０４ｂに当接し、図２１及び図２２に示した通常記録時の高さよりも高い位置にガイドシャフト５２の高さが位置決めされる。
【００９１】
次にＣＤ記録においては、図２９に示すように、先の厚紙記録時よりもさらにリフトモータ５８を駆動して回転させることにより行う。ここで偏心カムＲ５２１の矢印方向の回転は、偏心カムＲ５２１の回転規制部５２１ｂがギャップ調整部材Ｒ５０４に設けられたシャーシ突き当て部５２５に当接することで規制される。その結果ガイドシャフト５２の回転方向における位置は、偏心カムＲ５２１、Ｌ５２２のカム面が、それぞれギャップ調整部材Ｌ５０３、ギャップ調整部材Ｌ５０４に設けられたカム突き当て部５０３ｂ、５０４ｂに当接された状態で決定され、その結果、先の図２３及び図２６に示した高さよりもさらに高い状態に保持される。
【００９２】
このＣＤ記録時の状態において、キャリッジ５０は、図２６のＸ方向（図３，４における左方）への移動を偏心カムＬ５２２の回転規制部Ｌによって規制される。その結果、ＣＤ記録時には、先の通常記録時及び厚紙記録時よりもＸ方向への移動が距離Ｌだけ短縮される。この位置を位置Ｂとして示した。このように、偏心カムＬ５２２の回転規制部５２２ａは、カム自身の回転をキャリッジ５０との当接によって規制する機能を有すると共に、キャリッジ５０のＸ方向への移動を規制する規制部材としての機能をも兼ね備えたものとなっている。
【００９３】
（制御系）
図３３は、上記構成を有するインクジェット記録装置の制御系の概略構成を示す図である。
図において、６００は上記インクジェット記録装置の各部の制御を司る制御部であり、この制御部は、種々の演算、制御、判別などを行う手段として機能するＣＰＵ６０１と、所定の制御プログラム及びデータなどを格納してなるＲＯＭ６０２、所定のデータを一時的に格納すると共に前記ＣＰＵ６０１によって行う演算処理などにおけるワークエリアとして機能するＲＡＭ６０３等を備える。
【００９４】
また、この制御部６００は、インターフェース６１１を介して外部機器としてのホストコンピュータ６１０に接続されると共に、入力操作などを行う操作パネル６０４、記録ヘッドに設けられている各ノズル内のヒータを駆動するヘッドドライバ６０５、上記各機構を駆動する駆動部６０７、及び装置の各部の状態を検出する前述の各種センサからなるセンサー部６０８などが接続されている。
【００９５】
操作パネル６０４には、各電源キースイッチ９８３ａ等をはじめとして各種の指令や種々のデータ入力を行うキースイッチを備えた入力部６０４ａ、及び装置の状態表示などを行う表示部６０４ｂなどを有するものとなっている。
【００９６】
また、駆動部６０５には、給紙動作の駆動源として作用する給紙モータ２７３、キャリッジ５０による走査の駆動源として作用するキャリッジモータ５４、前記搬送ローラ３６の駆動源として作用する搬送モータ３５、前述のクリーニング動作の駆動源として作用するクリーニングモータ６９、キャリッジ５０の昇降動作の駆動源として作用するキャリッジ昇降モータ５８などの各種モータと、これらモータを駆動するモータドライバ６０７ａ〜６０７ｅとを有する。
【００９７】
そして、制御部６００は、ホストコンピュータなどの外部機器から送信されるデータ、及びセンサ群などから入力される信号に基づき、前記ＲＯＭ６０２に格納された駆動プログラムなどに従って、前記ドライバ６０７ａ〜６０７ｅなどの各部の制御を行い、後述の記録動作制御を実行するようになっている。
【００９８】
（記録動作制御）
次に、上記構成を有するインクジェット記録装置の記録動作制御を図３４及び図３５を参照して説明する。
【００９９】
インクジェット記録装置がＡＣ電源に接続されると、まず、ステップＳ１０１では装置の第１の初期化処理を行う。この初期化処理では、本装置のＲＯＭおよびＲＡＭのチェックなど電気回路系のチェックを行い、電気的に本装置が正常に動作可能であるかを確認する。なお、この第１の初期化処理では記録装置本体１の駆動機構に対する処理動作は行わない。
【０１００】
次にステップＳ１０２では、装置本体上ケース９８に設けられた電源キースイッチ９８３ａがＯＮされたかどうかの判断を行い、電源キースイッチ９８３ａが押された場合には、次のステップＳ１０３へと移行し、ここで第２の初期化処理を行う。
【０１０１】
このステップＳ１０３での第２の初期化処理では、装置本体内の各種駆動機構及びヘッド系のチェックを行う。また後述する本実施形態に係るキャリッジ昇降機構のチェックもここで実施される。すなわち、各種モータやモータに接続された各種機構の初期化、及びヘッド情報の読み込みを行う際に本装置が正常に動作可能であるか否かの確認も行う。
【０１０２】
次に、ステップＳ１０４では記録装置の各種イベント待ちを行う。すなわち、本装置に対して、外部Ｉ／Ｆからの指令イベント、ユーザー操作によるパネルキーイベントおよび内部的な制御イベントなどを監視し、これらのイベントが発生するとそのイベントに対応した処理を実行する。ここでユーザー操作によるパネルキーイベントとしては、電源キースイッチ９８３ａによる電源ＯＦＦ動作、レジュームスイッチ９８３ｂによるヘッドクリーニング動作、記録動作のキャンセル動作などがある。
【０１０３】
ステップＳ１０４において、外部Ｉ／Ｆからの記録指令イベントを受信した場合には、ステップＳ１０５へと移行し、また同ステップＳ１０４でユーザー操作による電源キーイベントが発生した場合には、ステップＳ１２１へと移行してプリンタ終了処理を行い、同ステップＳ１０４でその他のイベントが発生した場合にはステップＳ１２２へと移行してその他のイベント処理を行う。
イベントとして記録指令を受信しステップＳ１０５に移行した場合には、外部Ｉ／Ｆからの記録指令を解析し、指定された紙種別、用紙サイズ、記録品位、給紙方法などを判断し、その判断結果を表すデータを本装置内のＲＡＭに記憶し、図３５に示すステップＳ１０６へと進む。
【０１０４】
図３５に示すステップＳ１０６〜ステップＳ１１５では、指定された給紙方法に対し記録装置本体１が適する状態となっているか否かをチェックする処理を行う。ここで本実施形態の場合、ＣＤ記録時は図８に示したＣＤ搬送部８が記録装置に装着されＣＤ搬送部８からトレイ８３を給紙し、厚紙記録及び通常記録の場合には自動給紙装置（ＡＳＦ）より給紙を行っている。さらに本来の場合ステップＳ１０６へ移行するのに先立ってキャリッジ５０は図２１に示した通常記録状態にある。
【０１０５】
ステップＳ１０６では、まず指定された記録がＣＤ記録か、それ以外の記録であるかの判断を行う。ステップＳ１０６でＣＤ記録であると判断された場合には、ステップＳ１０７へ進み、記録装置本体１に図８に示したＣＤ搬送部８が装着されているかどうかを図１１に記載のトレイガイドセンサー３４４の検出結果により判断する。ここでＣＤ搬送部８が記録装置本体１に装着されていなければステップＳ１０８へ移行し、エラー状態を報知し、ＣＤ搬送部８が装着されるまで待機する。
【０１０６】
一方ステップＳ１０７においてＣＤ搬送部８が装着されていると判断されれば、ステップＳ１０９に移行してリフトモータ５８を駆動し、図２５に示したようなＣＤ記録の状態になるようキャリッジ５０を上昇（リフトアップ）させる。このときリフトモータ５８の駆動に先立って、キャリッジ５０を移動させることより、キャリッジ５０に装着された記録ヘッド７を図３及び図４に示すキャップ６１と対向する位置まで移動させ、その後にリフトモータ５８を駆動する。ここで、記録ヘッド７がキャップ６１に対向した位置では、キャリッジ５０は偏心カムＬ５２２や、シャーシ右側板１１ａには当接していない状態となっている。キャリッジ５０を上昇させた後、次にステップＳ１１７に進みＣＤ搬送部８からの給送動作が選択され実行される。
【０１０７】
一方、先のステップＳ１０６において、受信された記録指令がＣＤ記録でないと判断された場合にはステップ１１０へ進み、ここで指定された記録動作が厚紙記録かどうかを判断する。厚紙記録であると判断された場合にはステップＳ１１１へ進み、記録装置本体１にＣＤ搬送部８が装着されているか否かを判断する。そして、ＣＤ搬送部８が装着されている場合には、ここで実行しようとしている厚紙記録には適しない状態であるので、ステップＳ１１２へ移行してエラーを報知し、その後、ＣＤ搬送部８が取り外されて未装着状態となるまで待機する。また、ステップＳ１１１においてＣＤ搬送部８が装着されていないと判断されればステップＳ１１３へ移行し、図２５に示すような厚紙記録状態となるようにリフトモータ５８を駆動してキャリッジ５０を上昇（リフトアップ）させる。このステップＳ１１３におけるリフトモータ５８の駆動に先立って、キャリッジ５０を図２４に示した最も左側の位置Ａまで移動させ、その後にリフトモータ５８を駆動する。このとき、キャリッジシャフト５２の左端に設けられた偏心カムＬ５２２の回転規制部Ｌ５２２ａにキャリッジ５０が突き当たるため、リフトモータ５８の回転はこの位置で規制され、これによって厚紙記録状態になる。このようにして記録装置本体１が厚紙記録に適した状態になると、次にステップＳ１１７へ移行し指定されたＡＳＦより厚紙の給送を開始する。
【０１０８】
一方、ステップＳ１１０において指定されている記録動作が厚紙記録でないと判断された場合には、ステップＳ１１４に進む。この場合、本実施形態では通常記録であると判断される。次いでステップＳ１１５へ進み、記録装置本体１へのＣＤ搬送部８の装着状態を確認し、ＣＤ搬送部８が装着されていればステップＳ１１６へ進んでエラー報知を行い、ＣＤ搬送部８が取り外されて未装着状態となるまで待機する。ステップＳ１１５でＣＤ搬送部８の未装着状態であると判断された場合にはステップＳ１１７へ移行し、厚紙記録の場合と同様にＡＳＦによって普通紙の給送を開始する。
【０１０９】
このように、受信された記録指令に応じて、記録装置のＣＤ搬送部８の装着状態をチェックし、またキャリッジ５０や記録ヘッド７のギャップ状態を最適な状態とした後、ステップＳ１１７へ移行して給紙を開始し、さらにステップＳ１１８へ進み記録動作（記録動作）を行う。この記録動作（記録動作）では、外部Ｉ／Ｆから送信された記録データを、一旦記録バッファに格納し、次いでキャリッジモータ５４を駆動してキャリッジ５０の走査方向への移動を開始すると共に、プリントバッファに格納されている記録データを記録ヘッド７へ供給して１行の記録を行い、１行分の記録データの記録動作が終了すると搬送モータ３５を駆動し、搬送ローラ３６を回転させて用紙等記録媒体を副走査方向へと送る。この後、上記動作を繰り返し実行し、外部Ｉ／Ｆからの１ページ分の記録データの記録が終了すると、ステップＳ１１９へと進む。
【０１１０】
ステップＳ１１９では、搬送モータ３５を駆動し、排紙ローラ４０、及び排紙ローラ４１を駆動し、用紙等記録媒体が完全に本装置から送り出されたと判断されるまで紙送りを行い、その結果、終了した時点で用紙等記録媒体は排紙トレイ４６上やＣＤ搬送部８のトレイガイド８２上に排出された状態となる。次にステップＳ１２０では、記録すべき全ページの記録動作が終了したか否かを判定し、記録すべきページが残存する場合には、ステップＳ１０５へと復帰し、以下、前述のステップＳ１０６〜Ｓ１２０までの動作を繰り返し、記録すべき全てのページの記録動作が終了した時点で記録動作は終了し、その後ステップＳ１０４へと移行し、次のイベントを待つ。
【０１１１】
次に、図３６ないし図４０を参照して本実施形態に係るキャリッジ５０のリフト機構（昇降機構）初期化処理及びリフト機構が正常に動作するか否かの動作確認処理について説明する。
【０１１２】
まず、図３６のフローチャートに基づき、図３４に記載したステップＳ１０３における第２の初期化処理をより詳細に説明する。なお、ここでは、特にリフト機構の制御動作を中心としたフローを示した。
【０１１３】
ステップＳ１０１，Ｓ１０２では、図３４と同様に、記録装置にＡＣ電源が接続され、ステップＳ１０１における第１の初期化処理が行われると、ステップＳ２０１以降の第２の初期化処理が実行される。
【０１１４】
次に、ステップＳ２０１においては、電源スイッチがＯＮされる以前の記録装置の終了状態をチェックする。ここでのチェックは、記録装置に搭載された不図示のＥＥＰＲＯＭに書き込まれた情報を基に、記録装置が異常な状態で終了されたか、電源コンセントがｏｆｆされて終了したか、あるいは正常な状態で終了されたかどうかを判断する。本実施形態の場合、記録動作終了時に不図示のＥＥＰＲＯＭないに終了状態を書き込む処理が行われるようになっている。
また本実施形態の場合、異常状態での終了とは、記録装置の動作中にエラー状態が発生し、その状態のまま電源コンセントが外されて終了した場合がこれに該当し、この場合には、キャリッジ５０が記録装置内のどの位置にいるかが不定な状態となる。
一方、正常終了状態とは、記録装置にエラー状態が発生しておらず、キャリッジ５０が図３及び図４に示したキャップ位置に対向し、キャップ６１がキャリッジ５０に装着された記録ヘッド７のインク吐出部７０１を覆うキャッピング状態となっている場合に該当する。
【０１１５】
ステップＳ２０１において、電源キーによって指示されたＯＮ動作が、異常状態での終了後または電源コンセントＯＦＦ後に行われたＯＮ動作であるのか、正常終了後に行われたＯＮ動作であるのかを判断する。ここで異常状態での終了後または電源コンセントＯＦＦ後のＯＮ動作である場合にはステップＳ２０２へ進み、記録装置本体１へのＣＤ搬送部８の装着状態をチェックする。
【０１１６】
ここでＣＤ搬送部８が装着されている場合にはステップＳ２０４に進み、まずクリーニング部６の初期化を実施し、その後、キャップ６１をキャリッジ５０またはキャリッジ５０に装着された記録ヘッド７から離脱したキャップオープン状態とするため、その動作を実施する。
【０１１７】
次にリフトモータ（キャリッジ昇降モータ）５８を駆動して図２９に示したようなＣＤ記録の状態とするべく、キャリッジ５０を上昇させる。ここでキャリッジ５０をＣＤ記録状態とする理由は、ＣＤ搬送部８から記録装置内にトレイ８３が挿入されている可能性があり、この状態ではトレイ８３のトレイシート８３１が搬送ローラ３６とピンチローラ３７によって狭持されず、トレイ８３のトレイシート８３１が鉛直方向に突出している可能性があるためである。従ってその後の処理でキャリッジ５０を主走査方向（Ｘ方向）に移動させた場合にもトレイ８３に記録ヘッド等が接触することを防止することができる。
【０１１８】
次いでステップＳ２０６においてキャリッジ５０を図３に記載のＸとは逆の方向に所定量、例えば約５ｍｍ移動する。これはキャリッジ５０が図３において最も左側に位置した場合（位置Ａにいた場合（図２６参照））に、偏心カムＬ５２２の回転が図２５に示したような厚紙記録状態となって規制され、ＣＤ記録状態の位置まで偏心カムＬ５２２が回転しなくなることを防止している。
【０１１９】
次いでステップＳ２０７に進み、確認のために再度リフトモータ（キャリッジ昇降モータ）５８を駆動して図２９に示したようなＣＤ記録の状態とし、その後ステップＳ２０８でキャリッジ５０を図３のシャーシ右側面１１ａに突き当て、基準位置を仮の基準位置として取得する動作を実施する。この突き当て動作による基準位置の取得は、この処理以降においてキャリッジ５０の移動位置を管理するため基準位置が必要になることから行うが、取得した基準位置を仮の基準位置としたのは、本実施形態の場合ＣＤ記録状態ではコードストリップ５６１の両端が固定的に設けられ、キャリッジ５０によって持ち上げられる構成となっているため、この状態で得られた基準位置は、通常状態での記録における基準位置とは正確には一致しないことから、仮の基準位置としている。
【０１２０】
次にステップＳ２０９へ進み、仮の基準位置を元にキャリッジ５０をキャップ６１に対向したキャップ位置まで移動する。次いでステップＳ２１０に進み、リフトモータ（キャリッジ昇降モータ）５８を駆動し、リフト機構を図２１に示した通常記録状態にし、ステップＳ２１１においてキャリッジ５０の基準位置を再度取得し、この位置を正式なキャリッジ５０の基準位置とする。次にステップＳ２１２へ進みキャリッジ５０をキャップ位置まで移動した後、ステップＳ２１３において給送部（ＡＳＦ）２や搬送部３の初期化を行う。この後、後述のキャリッジ５０のリフト機構の動作確認処理をステップＳ２１４で実施し、その後ステップＳ２１５においてキャリッジ５０に装着された記録ヘッド７のインクタンク７１のインク量を検出する処理を行い、一連の初期化処理を終了し次のイベントを待つ（ステップＳ１０４）。
【０１２１】
ステップＳ２０３でＣＤ搬送部８が装着されていない場合にはステップＳ２１６へ進みクリーニング部６の初期化とともにキャップ６１をキャップオープン状態にし、その後ステップＳ２１７において先のステップＳ２０６と同様にキャリッジ５０を右方向へ約５ｍｍ移動する。その後先のステップＳ２１０へ移行し、その後先のステップＳ２１０からステップＳ２１５までを同様に実施した後、次のイベントを待つ（ステップＳ１０４）。
【０１２２】
一方、ステップＳ２０１において指示されたＯＮ動作が、正常終了後のＯＮ動作の場合には、図３８に示すステップＳ２１８へと移行する。ここで、前述の正常終了が行われていたと判断された場合には、キャリッジ５０はキャップ位置に位置していることが確定的であるため、先に説明したステップＳ２０２での異常終了時や電源コンセントＯＦＦ後の処理に比べてその処理動作は簡素化されている。
【０１２３】
すなわち、ステップＳ２１８の後、ステップＳ２１９においてＣＤ搬送部８の装着状態を判断する。ここでＣＤ搬送部８が装着されていない場合にはステップＳ２２０へ移行し、クリーニング部を初期化すると共に、キャップオープン状態とする。次いで、ステップＳ２２１へ進み、リフトモータ５８を図２１に示す通常記録状態にする。その後、ステップＳ２２２に移行してキャリッジ５０の基準位置を取得し、ステップ２２３においてキャリッジ５０をキャップ位置へ移動する。そしてステップＳ２２４においてリフトモータ５８を駆動し図２５に示したＣＤ記録状態にし、次のイベントを待つ（ステップＳ１０４）。
【０１２４】
また、ステップＳ２１９においてＣＤ搬送部８が装着されていないと判断された場合には、ステップＳ２２５へ進む。このステップＳ２２５からステップＳ２２８までの処理は先のステップＳ２２０からステップＳ２２３までの処理と同様である。但し、この場合には、記録装置本体１にＣＤ搬送部８が装着されていないためリフトモータ５８は駆動せずにステップＳ２２６において実現された通常記録の状態のまま次のイベントを待つ（ステップＳ１０４）。
【０１２５】
（キャリッジ昇降機構の動作確認）
次に図３６ないし図３８に示した第２の初期化処理において実施されるキャリッジ５０のリフト機構の動作確認処理（ステップＳ２１４に記載）の詳細を図３９を参照して説明する。
【０１２６】
このキャリッジ５０のリフト機構（昇降機構）の動作確認処理においては、まず、ステップＳ３０１において記録装置本体１へのＣＤ搬送部８の装着状態を再度確認する。そして、ＣＤ搬送部８が装着されていると判断された場合には、ステップＳ３０２に進み、リフトモータ５８を駆動してＣＤ記録状態とする。次にステップＳ３０３に進み、このＣＤ記録状態（上昇状態）のままキャリッジ５０を図３に示したＸ方向（左側方向）に移動させる。この移動は、キャリッジ５０がシャーシ１１の左側に設けられたガイドレール突き当て部１１ｃまたは偏心カムＬ５２２に突き当って停止するまで行われる。次に、ステップＳ３０４においてキャリッジ５０の移動をコードストリップ５６１と不図示のエンコーダーセンサーとによって監視し、キャリッジ５０の停止が確認されるとステップＳ３０５へ進み、その停止状態となったキャリッジ５０の位置を、突き当て位置ｃとして取得する。ここで、突き当て位置ｃはＣＤ記録状態でのキャリッジ５０の最も左側に移動した場合の位置となる。この突き当て位置ｃの取得後、ステップＳ３０６において現在の状態がＣＤ記録状態であるか否かの判定を行い、ステップＳ３０５において取得したキャリッジ５０の突き当て位置ｃと所定の判定値Ｘとを比較し、突き当て位置ｃの値が判定値Ｘがより大なる値となる場合、すなわちキャリッジ５０が判定値Ｘの表す位置よりも左側に位置すると判断された場合には、エラー報知を行う。
【０１２７】
つまり、リフトモータ５８をはじめとするリフト機構が正常に動作していれば、図３２に示したようにＣＤ記録状態におけるキャリッジ５０の突き当て位置（キャリッジ５０が最も左側に移動可能な位置）ｃは、通常記録状態や厚紙記録状態におけるキャリッジの突き当て位置に比べて、図中のＸ方向とは逆の方向（右側方向）に移動した位置にある。そこで、図２２及び図２６に示した通常記録状態や厚紙記録状態でのキャリッジ５０の最左端位置である位置Ａと、図３０に示したＣＤ記録状態での最左端位置である位置Ｂとを用いて、上記の判定値Ｘを、Ｘ＝（位置Ａ＋位置Ｂ）／２と設定し、関係式：位置ｃ＞判定値Ｘによってこの式が成立するかどうかを判断している。
【０１２８】
ステップＳ３０６においてこの関係式が成立した場合には、偏心カムＬ５２２によってキャリッジ５０の左方（Ｘ方向）への移動が規制されていないことになり、その結果リフト（キャリッジ昇降）モータ５８等で構成されるリフト（昇降）機構が正常に動作していないと判断し、ステップＳ３０７へ進んでエラー状態を報知する。また、ステップＳ３０６において上記関係式が成立しない場合には、偏心カムＬ５２２によってキャリッジ５０の移動が規制されていることになり、リフト機構が正常に動作していると判断し、次のステップである図３７に示したステップＳ２１５へと移行する。
【０１２９】
一方、ステップＳ３０１においてＣＤ搬送部８が記録装置本体１に装着されていないと判断された場合には、図４０に示すステップＳ３０７〜ステップＳ３１７の動作を実施する。この制御動作では、先のＣＤ記録状態においてキャリッジ５０の移動可能な最左端の位置のチェックに加えて、通常記録状態での最左端の位置のチェックも実施する。
【０１３０】
すなわち、ステップＳ３０７からステップＳ３１１及びステップＳ３１６については前述のステップＳ３０１〜Ｓ３０７と同様にＣＤ記録におけるチェック処理を行う。ここで、ステップＳ３１１においてＣＤ記録状態でのキャリッジ５０の移動可能な最左端の位置ｃが判定値Ｘよりも小さい値となり、リフト機構が正常動作していると判断された場合には、次のステップＳ３１２に進む。
【０１３１】
このステップＳ３１２においては、キャリッジ５０を一旦、図３に記載のＸ方向とは逆の方向に５ｍｍ移動させる。これは次にリフトモータ５８を駆動して偏心カムＬ５２２を回転させる場合に、その回転をスムーズに行うためにキャリッジ５０を偏心カムＬ５２２より離間させるためである。
【０１３２】
この後、ステップＳ３１３にてリフトモータ５８を駆動し、図２１に示すような通常の記録状態にする。その後ステップＳ３１４及びステップＳ３１５に移行し、キャリッジ５０が左側に突き当たって停止するまでＸ方向（左方へと）移動する。ここで、ステップＳ３１５では、キャリッジ５０が停止して突き当て状態となったことが確認されると、そのときのキャリッジ５０の位置を通常記録状態でのキャリッジ５０の移動可能な最左端位置ｄとして取得する（ステップＳ３１６）。
【０１３３】
そして、ステップＳ３１７においては、取得した位置ｄについて、関係式：位置ｄ＜判定値Ｘ、の条件が成立するかどうかを判断する。この関係式が成立した場合には、偏心カムＬ５２２によってキャリッジ５０の移動が規制されていることになり、その結果、リフト（キャリッジ昇降）モータ５８等で構成されるリフト（昇降）機構が正常に動作していないと判断し、ステップＳ３１７へ進んでエラー状態を報知する（ステップＳ３１７）。
【０１３４】
一方ステップＳ３１６において上記関係式が成立しない場合には、偏心カムＬ５２２によってキャリッジ５０の移動が規制されていないことになり、リフト機構が正常に動作していると判断し、次のステップである図３７のステップＳ２１５に移行する。
【０１３５】
このように、本実施形態においては、キャリッジ５０のギャップ変更手段であるリフト機構（昇降機構）を備えたインクジェット記録装置において、記録ヘッドと記録媒体とのギャップを管理するための専用のセンサーを設けずに、ギャップの最適化を実現することができると共に、リフト機構に異常が生じた場合に直ちにその状態を報知することができる。
【０１３６】
このため、インクジェット記録装置のコスト低減を図ることができると共に、センサーを取り付けるための部材や、センサーに電気的接続を行うためのリード線なども必要とせず、装置内部の構造を簡略化することができ、装置全体の小型化も図ることが可能となる。さらに、本実施形態においては、キャリッジの昇降のための駆動源としてＤＣモータを使用したため、他のモータや駆動源を用いた場合に比べてより安価な構成を実現することができ、ＤＣモータの回転量や駆動量を検出するためのエンコーダセンサーなどを設けない構成としたのでより安価な構成を実現することができる。
【０１３７】
また、リフト機構の動作状態のチェックを記録動作毎に行わず、記録装置に電源コンセントを接続した場合のみ行うようにしたので、記録動作全体の所要時間を短縮化することができ、優れた記録性能を得ることができる。
【０１３８】
なお、本実施形態ではキャリッジの昇降のための駆動源としてＤＣモータを使用したがパルスモータであっても適用できる。
【０１３９】
（他の実施形態）
ところで、本発明は上記実施形態に限定されるものではなく、以下のような構成を採ることも可能である。
【０１４０】
例えば、上記第１の実施形態においては、先の図３６ないし図４０の説明において、キャリッジ５０のリフト機構における動作状態のチェックを、記録装置に電源コンセントを接続した場合のみに行うように構成したが、本発明は、上記実施形態に限定されるものではなく、記録指令受信後に、図３５に示すステップＳ１１７で行われる給紙動作に先立ってキャリッジ５０をＸ方向（左側）に突きあて状態となるまで駆動し、その後、給紙前にギャップ変更手段の状態をチェックするように構成しても良い。この場合には、キャリッジ５０をＸ方向に移動させるだけで良いため、最小限の処理で記録動作に移行でき、常に記録に先立ってギャップ変更手段が正常であるか異常であるかという判断を行うことができる。
【０１４１】
また、上記第１の実施形態では、キャリッジ５０のギャップ変更機構は、キャリッジを上下方向に昇降する機構として説明したが、ギャップを変更するためのキャリッジの移動方向は、記録媒体の搬送経路に対して離間、近接するような構成であれば良く、必ずしも上下方向に限定されるものではない。つまり、記録媒体の搬送方向が垂直方向に設定されている場合には、キャリッジを水平方向に沿って離間、近接させるように構成しても本発明を好適に実施することができる。
【０１４２】
【発明の効果】
以上説明した通り、本発明は、キャリッジのギャップ変更手段を備えたインクジェット記録装置において、キャリッジの昇降位置に応じて、キャリッジの主走査方向における移動範囲を変更する移動範囲変更部を設け、キャリッジの主走査方向への移動範囲を検出することによって、記録ヘッドと記録媒体とのギャップが適当であるか否かを判断するようにしたため、ギャップを検出するための光センサーなどを設けることなく、安価かつ小型な構成によってギャップの適正化を実現することができ、信頼性の向上を図ることができる。
【図面の簡単な説明】
【図１】本発明の第１実施形態におけるインクジェット記録装置の斜視図である。
【図２】本発明の第１実施形態におけるインクジェット記録装置の斜視図であり、図１に示す状態からフロントカバー及び給紙トレイを開いた状態を示している。
【図３】本発明の第１の実施形態におけるインクジェット記録装置の機構部を右斜め上方から見た斜視図である。
【図４】本発明の第１の実施形態におけるインクジェット記録装置の機構部を左斜め上方から見た斜視図である。
【図５】本発明の第１の実施形態におけるインクジェット記録装置の機構部の断面図である。
【図６】本発明の第１実施形態におけるインクジェット記録装置の記録部であるキャリッジの説明図である。
【図７】図６に示したものの側面図である。
【図８】本発明の第１実施形態におけるＣＤ搬送部を示す斜視図である。
【図９】本発明の第１実施形態におけるＣＤ搬送部の内部構成の説明図である。
【図１０】本発明の第１実施形態における記録装置とＣＤ搬送部のセット操作状態を示す斜視図である。
【図１１】本発明の第１実施形態における下ケースのＣＤ搬送部取付け部および取付け検出部の構成を示す斜視図である。
【図１２】本発明の第１実施形態における下ケースとＣＤ搬送部の記録装置への装着時の状態を示す説明側面図である。
【図１３】本発明の第１実施形態における下ケースとＣＤ搬送部のフック解除状態を示す説明側面である。
【図１４】本発明の第１の実施形態におけるトレイの平面図である。
【図１５】本発明の第１の実施形態におけるトレイの位置検出部の周囲に形成された凹部形状を示す説明断面図である。
【図１６】本発明の第１の実施形態におけるＣＤ搬送部を記録装置に装着し、かつＣＤ搬送部にトレイをセットした状態を示す斜視図である。
【図１７】本発明の第１の実施形態におけるトレイと位置検出センサーとの相対位置を示す説明平面図である。
【図１８】本発明の第１の実施形態におけるキャリッジシャフトの支持機構を示す説明斜視図である。
【図１９】（ａ）は本発明の第１の実施形態におけるキャリッジ昇降機構の偏心カムＬ周辺の構成を示す説明斜視図、（ｂ）はキャリッジ昇降機構の偏心カムＲ周辺の構成を示す説明斜視図である。
【図２０】本発明の第１の実施形態におけるキャリッジ昇降機構を示す説明側面図である。
【図２１】本発明の第１実施形態におけるキャリッジ昇降機構の通常記録状態を示す説明側面図である。
【図２２】本発明の第１実施形態におけるキャリッジ昇降機構の通常記録状態を示す説明斜視図である。
【図２３】図２２に示したものの側面図である。
【図２４】図２２に示したものの背面図である。
【図２５】本発明の第１実施形態におけるキャリッジ昇降機構の厚紙記録状態を示す説明側面図である。
【図２６】本発明の第１実施形態におけるキャリッジ昇降機構の通常記録状態を示す説明斜視図である。
【図２７】図２６に示したものの側面図である。
【図２８】図２６に示したものの背面図である。
【図２９】本発明の第１実施形態におけるキャリッジ昇降機構のＣＤ記録状態を示す説明側面図である。
【図３０】本発明の第１実施形態におけるキャリッジ昇降機構のＣＤ記録状態を示す説明斜視図である。
【図３１】図３０に示したものの側面図である。
【図３２】図３０に示したものの背面図である。
【図３３】本発明の第１の実施形態における制御系の概略構成を示すブロック図である。
【図３４】本発明の第１実施形態におけるインクジェット記録装置の記録動作制御を示すフローチャートである。
【図３５】本発明の第１実施形態におけるインクジェット記録装置の記録動作制御を示すフローチャートである。
【図３６】本発明の第１実施形態におけるインクジェット記録装置の初期化処理の一部を示すフローチャートである。
【図３７】本発明の第１実施形態におけるインクジェット記録装置の初期化処理の一部を示すフローチャートである。
【図３８】本発明の第１実施形態におけるインクジェット記録装置の初期化処理の一部を示すフローチャートである。
【図３９】本発明の第１実施形態におけるインクジェット記録装置の初期化処理のうちキャリッジ昇降機構の動作確認処理の一部を示すフローチャートである。
【図４０】本発明の第１実施形態におけるインクジェット記録装置の初期化処理のうちキャリッジ昇降機構の動作確認処理の一部を示すフローチャートである。
【符号の説明】
１　記録装置本体
２　給紙装置
３　送紙部
４　排紙部
５　キャリッジ部
６　クリーニング部
７　記録ヘッド
８　ＣＤ搬送部
９　電気部
１１　シャーシ
１１ａ　シャーシ右側面
１１ｂ　シャーシ左側面
１１ｃ　ガイドレール突き当て部
１１１　ガイドレール
２０　ベース
２１　圧板
２１４　圧板カム
２３　可動サイドガイド
２４　分離ローラホルダー
２４１　分離ローラ
２６　給紙トレイ
２７３　給紙モータ
２８　給紙ローラ
３０　ピンチローラホルダ
３２　ＰＥセンサー
３２１　ＰＥセンサーレバー
３３　ペーパーガイドフラッパー
３４　プラテン
３４４　トレイガイド検出センサー
３５　搬送モータ
３６　搬送ローラ
３６１　コードホイール
３７　ピンチローラ
３８　軸受け
３８１　ローラテンションバネ
３９　エンコーダーセンサー
４０　排紙ローラ
４１　排紙ローラ
４２　拍車
４３　拍車ホルダー
４４　拍車バネ
４６　排紙トレイ
４７　インクタンクセンサー
５０　キャリッジ
５０ａ　摺動部
５０２　タンクカバー
５０３　ギャップ調整部材Ｌ
５０３ａ　ガイドシャフト支持部
５０３ｂ　カム突き当て部
５０４　ギャップ調整部材Ｒ
５０４ａ　ガイドシャフト支持部
５０４ｂ　カム突き当て部
５０５　シャーシ鉛直面
５０６　ガイドシャフトバネ
５１　ヘッドセットレバー
５２　ガイドシャフト
５２１　偏心カムＲ
５２１ａ　回転規制部
５２１ｂ　回転規制部
５２２　偏心カムＬ
５２２ａ　回転規制部Ｌ
５２５　シャーシ突き当て部
５３　摺動シート
５４　キャリッジモータ
５４１　タイミングベルト
５４２　アイドルプーリー
５５　キャリッジダンパー
５６１　コードストリップ
５７　フレキシブル基板
５８　キャリッジ昇降モータ（リフトモータ）
５８１　駆動ギア列
５９　トレイ位置検出センサー
６０　ポンプ
６１　キャップ
７１１　キャップ吸収体
６２　ブレード
６３　メインカム
６４　位置検出センサー
６６　ブレードクリーナー
６８　ポンプコロ
６９　クリーニングモータ
６９１　ワンウェイクラッチ
７　記録ヘッド
７０１　インク吐出部
７１　インクタンク
８　ＣＤ搬送部
８１　スライドカバー
８１１　押圧コロ
８１２　コロばね
８２　トレイガイド
８２１　開口部
８２２　嵌合部
８２３　基準壁
８２４　側圧コロ
８２６　トレイセットマーク
８３　トレイ
８３０　テーパー部
８３ａ　トレイシート固着部
８３ｂ　段差部
８３１　トレイシート
８３２　ＣＤ取り付け部
８３３　操作部
８３４　位置検出マーク
８３５　ＣＤ取り出し用孔
８３６　トレイ挿入位置合わせ用マーク
８３７ａ　外側面
８３７ｂ　逃げ部
８３８　メディア有無検知用マーク
８３９　位置検出マーク凹部
８４　フック
８５　アーム
８５１　傾斜部
９１　メイン基板
９５　フロントカバー
９６　コネクタカバー
９７　アクセスカバー
９８　上ケース
９８２　ＬＥＤガイド
９８３ａ　キースイッチ
９８３ｂ　レジュームスイッチ
９９　下ケース
９９３　ＣＤ搬送部ガイドレール
【図１】
2004090461.tif 000003
【図２】
2004090461.tif 000004
【図３】
2004090461.tif 000005
【図４】
2004090461.tif 000006
【図５】
2004090461.tif 000007
【図６】
2004090461.tif 000008
【図７】
2004090461.tif 000009
【図８】
2004090461.tif 000010
【図９】
2004090461.tif 000011
【図１０】
2004090461.tif 000012
【図１１】
2004090461.tif 000013
【図１２】
2004090461.tif 000014
【図１３】
2004090461.tif 000015
【図１４】
2004090461.tif 000016
【図１５】
2004090461.tif 000017
【図１６】
2004090461.tif 000018
【図１７】
2004090461.tif 000019
【図１８】
2004090461.tif 000020
【図１９】
2004090461.tif 000021
【図２０】
2004090461.tif 000022
【図２１】
2004090461.tif 000023
【図２２】
2004090461.tif 000024
【図２３】
2004090461.tif 000025
【図２４】
2004090461.tif 000026
【図２５】
2004090461.tif 000027
【図２６】
2004090461.tif 000028
【図２７】
2004090461.tif 000029
【図２８】
2004090461.tif 000030
【図２９】
2004090461.tif 000031
【図３０】
2004090461.tif 000032
【図３１】
2004090461.tif 000033
【図３２】
2004090461.tif 000034
【図３３】
2004090461.tif 000035
【図３４】
2004090461.tif 000036
【図３５】
2004090461.tif 000037
【図３６】
2004090461.tif 000038
【図３７】
2004090461.tif 000039
【図３８】
2004090461.tif 000040
【図３９】
2004090461.tif 000041
【図４０】
2004090461.tif 000042